(57)【特許請求の範囲】
【請求項１】
トランスポートブロックサイズを決定する方法であって、
ネットワークデバイスにより送信される制御情報を端末デバイスが受信する段階であって、前記制御情報は指示情報及びデータチャネルのリソース情報を含む、段階と、
マッピング関係群及び前記指示情報に基づいて、前記端末デバイスが変調方式及び符号レートを決定し、前記データチャネルの前記リソース情報に基づいて時間周波数リソースの数を決定する段階であって、前記マッピング関係群は前記指示情報と前記変調方式及び前記符号レートの組み合わせとの対応関係を含む、段階と、
前記変調方式、前記符号レート、及び前記時間周波数リソースの数に基づいて、前記端末デバイスが第１のトランスポートブロックサイズ（ＴＢＳ）を決定する段階と、
前記時間周波数リソースで搬送される前記データチャネルを、前記端末デバイスが前記第１のＴＢＳに基づいて復号する、又は前記第１のＴＢＳに基づいて、前記端末デバイスが前記データチャネルを前記時間周波数リソースで送信する段階と、
を備え、
前記変調方式、前記符号レート、及び前記時間周波数リソースの数に基づいて、前記端末デバイスが第１のＴＢＳを決定する前記段階は、
前記変調方式、前記符号レート、前記時間周波数リソースの数、及びトランスポート層の数に基づいて、前記端末デバイスが第２のＴＢＳを決定する段階と、
前記第２のＴＢＳに基づいて、前記端末デバイスが前記第１のＴＢＳを決定する前記段階であって、前記第１のＴＢＳは、前記第２のＴＢＳが第１の基準閾値より小さい又はこれと等しい場合に、前記第１のＴＢＳが第１の値集合内の第１の要素である、という条件に適合する、段階と、
を備える、
方法。
【請求項２】
前記第２のＴＢＳに基づいて、前記端末デバイスが前記第１のＴＢＳを決定する前記段階であって、前記第１のＴＢＳは、前記第２のＴＢＳが前記第１の基準閾値より大きい場合に、前記第１のＴＢＳが前記第２のＴＢＳと等しいという条件に適合する、段階を備える、請求項１に記載の方法。
【請求項３】
前記第１の値集合は、２４、３２、４０、５６、７２、８８、１０４、１２０、１３６、１４４、１５２、１７６、２０８、２２４、２５６、２８８、３３６、４０８、４５６、及び５０４の値のうちの少なくとも１つを含む、請求項１または２に記載の方法。
【請求項４】
前記データチャネルの前記リソース情報に基づいて時間周波数リソースの数を決定する前記段階は、
前記端末デバイスが前記時間周波数リソースの数を、前記リソース情報により示される前記時間周波数リソースの数から、指定された時間周波数リソースの数を引いたものになるよう決定する段階を有し、
前記指定された時間周波数リソースは、前記データチャネルに対応する復調参照信号ＤＭＲＳにより占有される時間周波数リソースと、前記リソース情報により示される前記時間周波数リソースで前記ネットワークデバイスにより送信されるチャネル状態情報参照信号ＣＳＩ−ＲＳにより占有される時間周波数リソースと、前記ネットワークデバイスにより予約される時間周波数リソースとのうちの１つ又は複数を含む、請求項１から３のいずれか一項に記載の方法。
【請求項５】
前記マッピング関係群は、複数のマッピング関係群のうちのデフォルトのマッピング関係群である、又は、
ネットワークデバイスにより送信される制御情報を端末デバイスが受信する前記段階の前に、前記方法はさらに、前記ネットワークデバイスにより送信される設定情報を前記端末デバイスが受信する段階であって、前記設定情報は前記マッピング関係群を示し、前記マッピング関係群は複数のマッピング関係群のうちの１つである、段階を備える、請求項１から４のいずれか一項に記載の方法。
【請求項６】
前記変調方式、前記符号レート、及び前記時間周波数リソースの数に基づいて、前記端末デバイスが第１のトランスポートブロックサイズ（ＴＢＳ）を決定する前記段階の前に、前記方法はさらに、
前記制御情報に含まれるプリコーディング指示情報に基づいて、前記データチャネルによりサポートされるトランスポート層の数を前記端末デバイスが決定する段階を備える、請求項１から５のいずれか一項に記載の方法。
【請求項７】
前記指示情報は、変調符号化方式、ＭＣＳ  ｉｎｄｅｘを含み、前記マッピング関係群は、前記ＭＣＳ  ｉｎｄｅｘと変調次数と前記符号レートとの対応関係である、請求項１から６のいずれか一項に記載の方法。
【請求項８】
トランスポートブロックサイズを決定する方法であって、
ネットワークデバイスが変調方式及び符号レートを決定し、マッピング関係群と前記変調方式及び前記符号レートの組み合わせとに基づいて指示情報を決定する段階であって、前記マッピング関係群は、前記指示情報と前記変調方式及び前記符号レートの前記組み合わせとの対応関係を含む、段階と、
前記ネットワークデバイスが制御情報を端末デバイスに送信する段階であって、前記制御情報は、前記指示情報とデータチャネルのリソース情報とを含み、前記リソース情報は時間周波数リソースの数を決定するのに用いられる、段階と、
前記変調方式、前記符号レート、及び前記時間周波数リソースの数に基づいて、前記ネットワークデバイスが第１のトランスポートブロックサイズ（ＴＢＳ）を決定する段階と、
前記第１のＴＢＳに基づいて、前記ネットワークデバイスが前記時間周波数リソースで搬送される前記データチャネルを復号する、又は、前記第１のＴＢＳに基づいて、前記ネットワークデバイスが前記時間周波数リソースで前記データチャネルを送信する段階と、
を備え、
前記変調方式、前記符号レート、及び前記時間周波数リソースの数に基づいて、前記ネットワークデバイスが第１のＴＢＳを決定する前記段階は、
前記変調方式、前記符号レート、前記時間周波数リソースの数、及びトランスポート層の数に基づいて、前記ネットワークデバイスが第２のＴＢＳを決定する段階と、
前記第２のＴＢＳに基づいて、前記ネットワークデバイスが前記第１のＴＢＳを決定する前記段階であって、前記第１のＴＢＳは、前記第２のＴＢＳが第１の基準閾値より小さい又はこれと等しい場合に、前記第１のＴＢＳが第１の値集合内の第１の要素であるという条件に適合する、段階と、
を備える、
方法。
【請求項９】
前記第２のＴＢＳに基づいて、前記ネットワークデバイスが前記第１のＴＢＳを決定する前記段階であって、前記第１のＴＢＳは、前記第２のＴＢＳが前記第１の基準閾値より大きい場合に、前記第１のＴＢＳが前記第２のＴＢＳと等しいという条件に適合する、段階を備える、請求項８に記載の方法。
【請求項１０】
前記第１の値集合は、２４、３２、４０、５６、７２、８８、１０４、１２０、１３６、１４４、１５２、１７６、２０８、２２４、２５６、２８８、３３６、４０８、４５６、及び５０４の値のうちの少なくとも１つを含む、請求項８または９に記載の方法。
【請求項１１】
前記リソース情報は、前記ネットワークデバイスにより前記端末デバイスに割り当てられる時間周波数リソースを示し、
前記時間周波数リソースの数は、前記リソース情報により示される時間周波数リソースの数から、指定された時間周波数リソースの数を引いたものであり、
前記指定された時間周波数リソースは、前記データチャネルに対応する復調参照信号ＤＭＲＳにより占有される時間周波数リソースと、前記ネットワークデバイスにより送信されるチャネル状態情報参照信号ＣＳＩ−ＲＳにより占有される時間周波数リソースと、前記ネットワークデバイスにより予約される時間周波数リソースとのうちの１つ又は複数を含む、請求項８から１０のいずれか一項に記載の方法。
【請求項１２】
前記マッピング関係群は、複数のマッピング関係群のうちのデフォルトのマッピング関係群である、又は、
前記ネットワークデバイスが制御情報を端末デバイスに送信する前記段階の前に、前記方法はさらに、前記ネットワークデバイスが設定情報を前記端末デバイスに送信する段階であって、前記設定情報は前記マッピング関係群を示し、前記マッピング関係群は複数のマッピング関係群のうちの１つである、段階を備える、請求項８から１１のいずれか一項に記載の方法。
【請求項１３】
前記制御情報はプリコーディング指示情報を含み、前記プリコーディング指示情報は、前記データチャネルによりサポートされるトランスポート層の数を示す、請求項８から１２のいずれか一項に記載の方法。
【請求項１４】
前記指示情報は、変調符号化方式、ＭＣＳ  ｉｎｄｅｘを含み、前記マッピング関係群は、前記ＭＣＳ  ｉｎｄｅｘと変調次数と前記符号レートとの対応関係である、請求項８から１３のいずれか一項に記載の方法。
【請求項１５】
ネットワークデバイスにより送信される制御情報を受信するように構成された送受信機ユニットであって、前記制御情報は指示情報とデータチャネルのリソース情報とを含む、送受信機ユニットと、
マッピング関係群と前記送受信機ユニットにより受信される前記指示情報とに基づいて、変調方式及び符号レートを決定し、前記データチャネルの、前記送受信機ユニットにより受信される前記リソース情報に基づいて、時間周波数リソースの数を決定するように構成された処理ユニットであって、前記マッピング関係群は、前記指示情報と前記変調方式及び前記符号レートの組み合わせとの対応関係を含む、処理ユニットと
を備える装置であって、
前記処理ユニットはさらに、前記変調方式、前記符号レート、及び前記時間周波数リソースの数に基づいて、第１のトランスポートブロックサイズ（ＴＢＳ）を決定するように構成され、
前記送受信機ユニットはさらに、前記処理ユニットにより決定される前記第１のＴＢＳに基づいて、前記時間周波数リソースで搬送される前記データチャネルを復号する、又は前記処理ユニットにより決定される前記第１のＴＢＳに基づいて、前記データチャネルを前記時間周波数リソースで送信するように構成され、
前記処理ユニットは、
前記変調方式、前記符号レート、前記時間周波数リソースの数、及びトランスポート層の数に基づいて第２のＴＢＳを決定し、
前記第２のＴＢＳに基づいて前記第１のＴＢＳを決定する、
ように構成され、
前記第１のＴＢＳは、前記第２のＴＢＳが第１の基準閾値より小さい又はこれと等しい場合に、前記第１のＴＢＳが第１の値集合内の第１要素である、という条件に適合する、
装置。
【請求項１６】
前記処理ユニットは、前記第２のＴＢＳに基づいて前記第１のＴＢＳを決定するように構成され、
前記第１のＴＢＳは、前記第２のＴＢＳが前記第１の基準閾値より大きい場合に、前記第１のＴＢＳが前記第２のＴＢＳと等しいという条件に適合する、
請求項１５に記載の装置。
【請求項１７】
前記第１の値集合は、２４、３２、４０、５６、７２、８８、１０４、１２０、１３６、１４４、１５２、１７６、２０８、２２４、２５６、２８８、３３６、４０８、４５６、及び５０４の値のうちの少なくとも１つを含む、請求項１５または１６に記載の装置。
【請求項１８】
前記処理ユニットは、
前記時間周波数リソースの数を、前記リソース情報により示される前記時間周波数リソースの数から、指定された時間周波数リソースの数を引いたものになるよう決定するように構成され、
前記指定された時間周波数リソースは、前記データチャネルに対応する復調参照信号ＤＭＲＳにより占有される時間周波数リソースと、前記リソース情報により示される前記時間周波数リソースで前記ネットワークデバイスにより送信されるチャネル状態情報参照信号ＣＳＩ−ＲＳにより占有される時間周波数リソースと、前記ネットワークデバイスにより予約される時間周波数リソースとのうちの１つ又は複数を含む、請求項１５から１７のいずれか一項に記載の装置。
【請求項１９】
前記マッピング関係群は、複数のマッピング関係群のうちのデフォルトのマッピング関係群である、又は、
前記送受信機ユニットはさらに、前記ネットワークデバイスにより送信される設定情報を受信するように構成され、前記設定情報は前記マッピング関係群を示し、前記マッピング関係群は複数のマッピング関係群のうちの１つである、請求項１５から１８のいずれか一項に記載の装置。
【請求項２０】
前記処理ユニットはさらに、前記データチャネルに対応する伝送モードに基づいて、前記データチャネルによりサポートされるトランスポート層の数を決定するように構成される、請求項１５から１９のいずれか一項に記載の装置。
【請求項２１】
前記指示情報は、変調符号化方式、ＭＣＳ  ｉｎｄｅｘを含み、前記マッピング関係群は、前記ＭＣＳ  ｉｎｄｅｘと変調次数と前記符号レートとの対応関係である、請求項１５から２０のいずれか一項に記載の装置。
【請求項２２】
変調方式及び符号レートを決定し、マッピング関係群と前記変調方式及び前記符号レートの組み合わせとに基づいて指示情報を決定するように構成された処理ユニットであって、前記マッピング関係群は、前記指示情報と前記変調方式及び前記符号レートの前記組み合わせとの対応関係を含む、処理ユニットと、
制御情報を端末デバイスに送信するように構成された送受信機ユニットであって、前記制御情報は、前記処理ユニットにより決定される前記指示情報と、データチャネルのリソース情報とを含み、前記リソース情報は時間周波数リソースの数を決定するのに用いられる、送受信機ユニットと
を備える装置であって、
前記処理ユニットはさらに、前記変調方式、前記符号レート、及び前記時間周波数リソースの数に基づいて、第１のトランスポートブロックサイズ（ＴＢＳ）を決定するように構成され、
前記送受信機ユニットはさらに、前記第１のＴＢＳに基づいて、前記時間周波数リソースで搬送される前記データチャネルを復号する、又は前記第１のＴＢＳに基づいて、前記データチャネルを前記時間周波数リソースで送信するように構成され、
前記処理ユニットは、
前記変調方式、前記符号レート、前記時間周波数リソースの数、及びトランスポート層の数に基づいて第２のＴＢＳを決定し、
前記第２のＴＢＳに基づいて前記第１のＴＢＳを決定する、ように構成され、
前記第１のＴＢＳは、前記第２のＴＢＳが第１の基準閾値より小さい又はこれと等しい場合に、前記第１のＴＢＳが第１の値集合内の第１の要素であるという条件に適合する、
装置。
【請求項２３】
前記処理ユニットは、前記第２のＴＢＳに基づいて前記第１のＴＢＳを決定するように構成され、
前記第１のＴＢＳは、前記第２のＴＢＳが前記第１の基準閾値より大きい場合に、前記第１のＴＢＳが前記第２のＴＢＳと等しいという条件に適合する、
請求項２２に記載の装置。
【請求項２４】
前記第１の値集合は、２４、３２、４０、５６、７２、８８、１０４、１２０、１３６、１４４、１５２、１７６、２０８、２２４、２５６、２８８、３３６、４０８、４５６、及び５０４の値のうちの少なくとも１つを含む、請求項２２または２３に記載の装置。
【請求項２５】
前記リソース情報は、ネットワークデバイスにより前記端末デバイスに割り当てられる時間周波数リソースを示し、
前記時間周波数リソースの数は、前記リソース情報により示される時間周波数リソースの数から、指定された時間周波数リソースの数を引いたものであり、
前記指定された時間周波数リソースは、前記データチャネルに対応する復調参照信号ＤＭＲＳにより占有される時間周波数リソースと、前記ネットワークデバイスにより送信されるチャネル状態情報参照信号ＣＳＩ−ＲＳにより占有される時間周波数リソースと、前記ネットワークデバイスにより予約される時間周波数リソースとのうちの１つ又は複数を含む、請求項２２から２４のいずれか一項に記載の装置。
【請求項２６】
前記マッピング関係群は、複数のマッピング関係群のうちのデフォルトのマッピング関係群である、又は、
前記送受信機ユニットはさらに、設定情報を前記端末デバイスに送信するように構成され、前記設定情報は前記マッピング関係群を示し、前記マッピング関係群は複数のマッピング関係群のうちの１つである、請求項２２から２５のいずれか一項に記載の装置。
【請求項２７】
前記制御情報はプリコーディング指示情報を含み、前記プリコーディング指示情報は、前記データチャネルによりサポートされるトランスポート層の数を示す、請求項２２から２５のいずれか一項に記載の装置。
【請求項２８】
前記指示情報は、変調符号化方式、ＭＣＳ  ｉｎｄｅｘを含み、前記マッピング関係群は、前記ＭＣＳ  ｉｎｄｅｘと変調次数と前記符号レートとの対応関係である、請求項２２から２６のいずれか一項に記載の装置。
【請求項２９】
請求項１から７又は８から１４のいずれか一項に記載の方法をコンピュータに実行させるためのプログラム。
【発明の詳細な説明】
【技術分野】
【０００１】
本願はデータ通信の分野に関し、具体的には、トランスポートブロックサイズを決定する方法及び装置に関する。
【背景技術】
【０００２】
第５世代（５ｔｈ  ｇｅｎｅｒａｔｉｏｎ、５Ｇ）無線通信システム（新たな無線技術（ｎｅｗ  ｒａｄｉｏ、ＮＲ）による無線通信システムとも呼ばれる）とは、より高いシステムパフォーマンスをサポートする目的で作られたものであり、５Ｇ通信システムは、複数のサービスタイプ、複数の展開シナリオ、及びより広いスペクトル範囲をサポートする。５Ｇ無線通信システムは、異なるサービスタイプの異なるサービス要件をサポートする必要がある。したがって、リソーススケジューリングは、柔軟性がより高いことを特徴とし、リソーススケジューリングにおけるトランスポートブロックサイズ（ｔｒａｎｓｐｏｒｔ  ｂｌｏｃｋ  ｓｉｚｅ、ＴＢＳ）の決定も、より柔軟である必要がある。
【０００３】
既存のロングタームエボリューション（Ｌｏｎｇ  Ｔｅｒｍ  Ｅｖｏｌｕｔｉｏｎ、ＬＴＥ）システムでは、端末デバイスのデータチャネルにおけるＴＢＳの決定が一例として用いられており、ＴＢＳを決定する工程には、以下に挙げる段階が含まれる。
段階１：端末デバイスは、変調方式（ｍｏｄｕｌａｔｉｏｎ  ｏｒｄｅｒ）及びＴＢＳインデックス（ＴＢＳ  ｉｎｄｅｘ、Ｉ＿ＴＢＳ）を、変調符号化方式（ｍｏｄｕｌａｔｉｏｎ  ａｎｄ  ｃｏｄｉｎｇ  ｓｃｈｅｍｅ、ＭＣＳ）インデックス（ｉｎｄｅｘ、Ｉ＿ＭＣＳ）と、プロトコルに予め定義されたＭＣＳマッピングテーブルとに基づいて決定する。
段階２：端末デバイスは、ネットワークデバイスにより示されるリソース割り当て情報に基づいて、周波数領域に割り当てられる物理リソースブロック（ｐｈｙｓｉｃａｌ  ｒｅｓｏｕｒｃｅ  ｂｌｏｃｋ、ＰＲＢ）の数（ＰＲＢ  ｎｕｍｂｅｒ、Ｎ＿ＰＲＢ）を決定する。
段階３：端末デバイスは、対応するＴＢＳ値を求めて、予め定義されたＴＢＳテーブルを、Ｉ＿ＴＢＳ及びＮ＿ＰＲＢなどのパラメータに基づいて検索し、データチャネルで搬送されるＴＢＳを決定する。
【０００４】
ＬＴＥシステムでは、ＴＢＳを決定する基本前提が、リソーススケジューリングの基本時間単位が１つのサブフレーム（１４個の直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボル）であること、また各ＰＲＢにおいてデータチャネル向けに利用可能なリソースの数が固定されており、例えば、１２０個のリソースエレメント（ｒｅｓｏｕｒｃｅ  ｅｌｅｍｅｎｔ、ＲＥ）であることである。しかしながら、５Ｇ無線通信システムの場合、５Ｇ無線通信システムにおけるリソーススケジューリングの柔軟性が大幅に変化し、各ＰＲＢにおいてデータチャネル向けに利用可能なリソースの数が大幅に変わる。さらに５Ｇ無線通信システムによりサポートされるスケジューリング時間範囲及び周波数領域範囲が極端に大きい。したがって、ＬＴＥシステムのデータチャネル上のＴＢＳを決定する方式を依然として用いる場合、オペレーションは柔軟ではなく、拡張性が低い。
【発明の概要】
【０００５】
本願の実施形態が、トランスポートブロックサイズを決定する方法及び装置を提供して、トランスポートブロックサイズを決定する方式の柔軟性を向上させる。
【０００６】
第１の態様によれば、トランスポートブロックサイズを決定する方法が提供される。本方法は、ネットワークデバイスにより送信される制御情報を端末デバイスが受信する段階であって、制御情報は指示情報及びデータチャネルのリソース情報を含む、段階と、第１のマッピング関係群及び指示情報に基づいて、端末デバイスが変調方式及び符号レートを決定し、データチャネルのリソース情報に基づいて時間周波数リソースの数を決定する段階であって、第１のマッピング関係群は、指示情報と変調方式及び符号レートの組み合わせとの対応関係を含む、段階と、変調方式、符号レート、及び時間周波数リソースの数に基づいて、第１のトランスポートブロックサイズＴＢＳを端末デバイスが決定する段階と、時間周波数リソースで搬送されるデータチャネルを、端末デバイスが第１のＴＢＳに基づいて復号する、又は第１のＴＢＳに基づいて、端末デバイスがデータチャネルを時間周波数リソースで送信する段階とを含む。
【０００７】
第２の態様によれば、トランスポートブロックサイズを決定する方法が提供される。本方法は、変調方式及び符号レートをネットワークデバイスが決定し、第１のマッピング関係群と、変調方式及び符号レートの組み合わせとに基づいて、指示情報を決定する段階であって、第１のマッピング関係群は、指示情報と変調方式及び符号レートの組み合わせとの対応関係を含む、段階と、ネットワークデバイスが制御情報を端末デバイスに送信する段階であって、制御情報は指示情報及びデータチャネルのリソース情報を含み、リソース情報は時間周波数リソースの数を決定するのに用いられる、段階と、変調方式、符号レート、及び時間周波数リソースの数に基づいて、ネットワークデバイスが第１のトランスポートブロックサイズＴＢＳを決定する段階と、ネットワークデバイスが第１のＴＢＳに基づいて、時間周波数リソースで搬送されるデータチャネルを復号する、又はネットワークデバイスが時間周波数リソースで、第１のＴＢＳに基づいてデータチャネルを送信する段階とを含んでよい。
【０００８】
本願の実施形態において、端末デバイスは、ネットワークデバイスにより送出される制御情報に基づいて、第１のマッピング関係群から変調方式及び符号レートを決定してよく、さらに、制御情報に基づいて時間周波数リソースの数を決定してよい。時間周波数リソースは、データチャネルを送信又は受信するための時間周波数リソースであり、具体的には、データチャネルが実際に占有する時間周波数リソースである。さらに、端末デバイスは、データチャネル上のＴＢＳを決定してよい。このように、データチャネルが実際に占有する時間周波数リソースに基づいて決定されたＴＢＳは、データチャネルの目標符号レートにさらに一致するので、ＴＢＳの精度が向上する。目標符号レートとは、本明細書では、データチャネルが達することをネットワークデバイスが期待する符号レートであり、前述の符号レートは、データチャネルが実際に用いる符号レートである。
【０００９】
さらに、ＴＢＳは、変調方式、符号レート、及び時間周波数リソースの数に基づいて決定されるので、スケジューリングされるリソースの数に関係なく、またスケジューリングされるリソースの他のオーバーヘッドリソースの数に関係なく、比較的正確なＴＢＳが同じ方式で決定され得る。したがって、ＴＢＳを決定する方式は、様々なスケジューリングシナリオに適用可能であり、ＴＢＳを決定する方式は非常に柔軟であり、高い拡張性を有する。
【００１０】
さらに、決定されたＴＢＳはより正確であるため、端末デバイスに割り当てられる時間周波数リソースの数が極端に少ないことはなく、その結果、データチャネルを送信するとき、又はデータチャネルを受信するときに、再伝送の可能性を減少させることができ、また端末デバイスに割り当てられる時間周波数リソースの数が過剰に多くもないので、リソースの無駄が回避される。
【００１１】
任意選択で、端末デバイス又はネットワークデバイスが、変調方式、符号レート、及び時間周波数リソースの数に基づいて第１のトランスポートブロックサイズＴＢＳを決定する段階は、端末デバイス又はネットワークデバイスが、変調方式、符号レート、時間周波数リソースの数、及びトランスポート層の数に基づいて第１のＴＢＳを決定する段階を含み、第１のＴＢＳは次式に適合する。
【数１】
0006891979.tif 000002
ここで、Ｎは時間周波数リソースの数であり、ｖはデータチャネルによりサポートされるトランスポート層の数であり、Ｑは変調方式に対応する変調次数であり、Ｒは符号レートである。
【００１２】
Ｎは大きい粒度で量子化されてよく、
【数２】
0006891979.tif 000003
であり、Ｋは正の整数である。ここで、Ｎ＿ＴＥＭＰはデータチャネル向けに利用可能な時間周波数リソースの数であってよく、Ｎは、データチャネル向けに利用可能な時間周波数リソースの量子化された数であり、Ｎは、第１のＴＢＳ及び／又は第２のＴＢＳを計算するのに用いられる。詳細については、以下で説明しない。
【００１３】
任意選択で、第１のＴＢＳは、データチャネル向けに利用可能な時間周波数リソースの数Ｎ、データチャネルによりサポートされるトランスポート層の数ｖ、及び変調方式に基づいて、テーブルを検索することにより求められてよい。
【００１４】
任意選択で、単位リソースで搬送されるビットの数Ｌが、変調方式とデータチャネルによりサポートされるトランスポート層の数ｖとに基づいて、テーブルを検索することにより求められてよく、さらに、第１のＴＢＳは、単位リソースで搬送されるビットの数Ｌと、単位リソースに含まれるリソースの数に対するデータチャネル向けに利用可能な時間周波数リソースの数Ｎの比とを乗算することにより求められる。
【００１５】
任意選択で、単層伝送で搬送されるビットの数Ｌが、データチャネル向けに利用可能な時間周波数リソースの数Ｎと変調方式とに基づいてテーブルを検索することにより求められてよく、さらに、第１のＴＢＳは、単層伝送において搬送されるビットの数Ｌと、データチャネルによりサポートされるトランスポート層の数ｖとを乗算することにより求められる。
【００１６】
任意選択で、単位リソースで単層伝送において搬送されるビットの数Ｌが、変調方式に基づいてテーブルを検索することにより求められてよく、さらに、第１のＴＢＳは、単層伝送において単位リソースで搬送されるビットの数Ｌと、単位リソースに含まれるリソースの数に対するデータチャネル向けに利用可能な時間周波数リソースの数Ｎの比と、データチャネルによりサポートされるトランスポート層の数ｖとを乗算することにより求められる。
【００１７】
本願の実施形態において、ＴＢＳは、変調方式、符号レート、時間周波数リソースの数、及びデータチャネルによりサポートされるトランスポート層の数などのパラメータを基準にした式を用いて計算により決定されてよく、その結果、ＴＢＳを決定する効率がより高くなる。さらに、本願において、ＴＢＳは、テーブルを検索する方式以外の他の方式で決定されてよい。したがって、ＴＢＳテーブルを設計する必要はなく、ＴＢＳの決定についての実装の複雑さが減少し、適用性がより高くなる。もちろん、本願の実施形態において、対応するＴＢＳテーブルが前述の式に基づいて設計されてもよい。ただし、テーブルを検索することにより求められた値が前述の式に適合する。このように、ＴＢＳの精度も向上させることができる。
【００１８】
任意選択で、端末デバイス又はネットワークデバイスは、変調方式、符号レート、時間周波数リソースの数、及びトランスポート層の数に基づいて第２のＴＢＳを決定し、第２のＴＢＳに基づいて第１のＴＢＳを決定してよい。
【００１９】
第１のＴＢＳは、第２のＴＢＳが第１の基準閾値より大きい場合に、第１のＴＢＳが第２のＴＢＳと等しいという条件に適合する。
【００２０】
本願の実施形態において、第２のＴＢＳは、最終的な第１のＴＢＳが決定される前に導入される。
【００２１】
任意選択で、端末デバイス又はネットワークデバイスは、変調方式、符号レート、時間周波数リソースの数、及びトランスポート層の数に基づいて第２のＴＢＳを決定してよく、第２のＴＢＳは次式に適合する。
【数３】
0006891979.tif 000004
ここで、Ｎは時間周波数リソースの数であり、ｖはデータチャネルによりサポートされるトランスポート層の数であり、Ｑは変調方式に対応する変調次数であり、Ｒは符号レートである。
【００２２】
任意選択で、第２のＴＢＳは、データチャネル向けに利用可能な時間周波数リソースの数Ｎ、データチャネルによりサポートされるトランスポート層の数ｖ、及び変調方式に基づいてテーブルを検索することにより求められてよい。
【００２３】
任意選択で、単位リソースで搬送されるビットの数Ｌが、変調方式と、データチャネルによりサポートされるトランスポート層の数ｖとに基づいてテーブルを検索することにより求められてよく、さらに、第２のＴＢＳは、単位リソースで搬送されるビットの数Ｌと、単位リソースに含まれるリソースの数に対するデータチャネル向けに利用可能な時間周波数リソースの数Ｎの比とを乗算することにより求められる。
【００２４】
任意選択で、単層伝送において搬送されるビットの数Ｌが、データチャネル向けに利用可能な時間周波数リソースの数Ｎと、変調方式とに基づいてテーブルを検索することにより求められてよく、さらに、第２のＴＢＳは、単層伝送において搬送されるビットの数Ｌと、データチャネルによりサポートされるトランスポート層の数ｖとを乗算することにより求められる。
【００２５】
任意選択で、単層伝送において単位リソースで搬送されるビットの数Ｌが、変調方式に基づいてテーブルを検索することにより求められてよく、さらに、第２のＴＢＳは、単層伝送において単位リソースで搬送されるビットの数Ｌと、単位リソースに含まれるリソースの数に対するデータチャネル向けに利用可能な時間周波数リソースの数Ｎの比と、データチャネルによりサポートされるトランスポート層の数ｖとを乗算することにより求められる。
【００２６】
本願の実施形態において、端末デバイス又はネットワークデバイスは、変調方式、符号レート、時間周波数リソースの数、及びトランスポート層の数などのパラメータに基づいて第２のＴＢＳを求め、次いで、第２のＴＢＳを第１の基準閾値と比較する。第２のＴＢＳが第１の基準閾値より大きい場合、第２のＴＢＳは、最終的に必要なＴＢＳ、すなわち、第１のＴＢＳとして用いられてよい。任意選択で、本願の実施形態において、計算により求められた第２のＴＢＳが第１の基準閾値より小さい又はこれと等しい場合、第１の値集合の要素（第１の要素）が、最終的に必要なＴＢＳ、すなわち、第１のＴＢＳとして決定されてよい。
【００２７】
本願の実施形態では、第２のＴＢＳを第１の基準閾値と比較することにより第１のＴＢＳを決定する方式によれば、小さいデータパケット（又は小型パケットと呼ばれる）の伝送、特に特別なデータパケットの伝送がより効率的であり、大きいデータパケットが伝送される場合にＴＢＳを決定する方式は、より柔軟であり、より適切であり、より高い拡張性を有する。特別なデータパケットには、ボイスオーバーインターネットプロトコルＶｏＩＰパケット、媒体アクセス制御ＭＡＣ制御要素ＣＥパケット、及び高音質音声サービスコーデックＥＶＳコーデックパケットなどが含まれてよい。
【００２８】
任意選択で、第１の基準閾値は、最大ＶｏＩＰパケットのサイズ又は最大ＭＡＣ−ＣＥパケットのサイズより大きい又はこれと等しい。
【００２９】
任意選択で、第１の値集合は、ＶｏＩＰパケットのサイズ及び／又はＭＡＣ−ＣＥパケットのサイズのうちの少なくとも一方を含む。
【００３０】
任意選択で、第１の値集合は、以下の値、すなわち、８、１６、２４、３２、４０、５６、７２、８８、１０４、１２０、１３６、１４４、１５２、１７６、２０８、２２４、２５６、２８０、２８８、２９６、３２８、３３６、３４４、３７６、３９２、４０８、４２４、４４０、４５６、４７２、４８８、５０４、５２０、及び５３６のうちの少なくとも１つを含む。
【００３１】
任意選択で、第１の要素は、第１の値集合内にあって、第２のＴＢＳより小さい又はこれと等しい要素であり、当該要素と第２のＴＢＳとの差の絶対値が最小である、又は、第１の要素は、第１の値集合内にあって、第２のＴＢＳより大きい又はこれと等しい要素であり、当該要素と第２のＴＢＳとの差の絶対値が最小である、又は、第１の要素は第１の値集合内にある要素であり、当該要素と第２のＴＢＳとの差の絶対値が最小である。
【００３２】
本願の実施形態では、ＶｏＩＰパケットのサイズ又はＭＡＣ−ＣＥパケットのサイズに基づいて、値集合が定められる。値集合に含まれる要素が、ＶｏＩＰパケットのサイズであってもよく、又はＭＡＣ−ＣＥパケットのサイズであってもよい。任意選択で、本願の実施形態では、一部の値が直接的に提供されてよく、これらの値は、値集合を求めるために、配列又は集合を用いて表される。データは、既存のＶｏＩＰパケットのサイズであっても、既存のＭＡＣ−ＣＥパケットのサイズであってもよく、又は、拡張ＶｏＩＰパケットのサイズであっても、拡張ＭＡＣ−ＣＥパケットのサイズであってもよく、ＶｏＩＰパケットのサイズの値及びＭＡＣ−ＣＥパケットのサイズの値以外の何らかの他の挿入値であってもよい。本願の実施形態において、第１の基準閾値は、ＶｏＩＰパケットのサイズ又はＭＡＣ−ＣＥパケットのサイズに基づいて設定され、第１の基準閾値と第２のＴＢＳとを比較することにより第１のＴＢＳを決定する決定方式によれば、小型パケットの伝送、特に特別なデータパケットの伝送がより効率的であり、大きいパケットが伝送される場合にＴＢＳを決定する方式はより柔軟であり、より適切である。第２のＴＢＳが、最大ＶｏＩＰパケットのサイズ又は最大ＭＡＣ−ＣＥパケットのサイズより小さい又はこれと等しい場合、第１の値集合内の要素が第１のＴＢＳとして選択されてよく、その結果、小型パケットの伝送、特に特別なデータパケットの伝送がより効率的である。第２のＴＢＳが、最大ＶｏＩＰパケットのサイズ又は最大ＭＡＣ−ＣＥパケットのサイズより大きい場合、第２のＴＢＳは第１のＴＢＳとして決定され、その結果、大きいパケットが伝送される場合にＴＢＳを決定する方式は、より柔軟であり、より適切であり、より高い拡張性を有する。
【００３３】
任意選択で、端末デバイス又はネットワークデバイスは、変調方式、符号レート、時間周波数リソースの数、及びトランスポート層の数に基づいて第２のＴＢＳを決定し、第２のＴＢＳに基づいて第１のＴＢＳを決定してよい。
【００３４】
第１のＴＢＳは、第２のＴＢＳと第１の値集合内の第２の要素との差の絶対値が、第２の基準閾値より小さい又はこれと等しい場合に、第１のＴＢＳが第１の値集合内の第２の要素であるという条件に適合する。
【００３５】
あるいは、実行できるように、第２のＴＢＳと第１の値集合内の第２の要素との差の絶対値が第２の基準閾値より大きい場合、第１のＴＢＳは第２のＴＢＳと等しい。
【００３６】
任意選択で、第２の基準閾値は予め定義された値である、又は第２の基準閾値は第２の要素と予め定義された係数との積値である。
【００３７】
本願の実施形態では、第２のＴＢＳを求めた後に、第２のＴＢＳと第１の値集合に含まれる要素との差が１つ１つ計算され、計算により求められた差の絶対値が第２の基準閾値と順に比較され、第１の値集合内の１つの要素が、比較結果に基づいて第１のＴＢＳとして決定される。任意選択で、本願の実施形態では、第１のＴＢＳを決定する方式が方式１及び方式２を含むことが定められてよい。方式１では、第２のＴＢＳと第１の値集合内の第２の要素との差の絶対値が第２の基準閾値より大きい場合、第２のＴＢＳは第１のＴＢＳとして決定されてよく、その結果、大きいデータパケットが伝送される場合にＴＢＳを決定する方式は、より柔軟であり、より適切であり、より高い拡張性を有する。方式２では、第１の値集合内の要素（第２の要素）が第１のＴＢＳとして決定され、当該要素と第２のＴＢＳとの差の絶対値が第２の基準閾値より小さい又はこれと等しく、その結果、小さいデータパケット（又は小型パケットと呼ばれる）の伝送、特に特別なデータパケットの伝送がより効率的である。
【００３８】
任意選択で、リソース情報は、ネットワークデバイスにより端末デバイスに割り当てられる時間周波数リソースを示し、当該時間周波数リソースの数は、指定された時間周波数リソースがリソース情報により示される時間周波数リソースから減算された後に求められる残りの時間周波数リソースの数である。
【００３９】
それに対応して、データチャネルのリソース情報に基づいて時間周波数リソースの数を決定する段階は、リソース情報及び指定された時間周波数リソースに基づいて時間周波数リソースの数を端末デバイスが決定する段階であって、時間周波数リソースは、指定された時間周波数リソースがリソース情報により示される時間周波数リソースから減算された後に求められる残りの時間周波数リソースを含む、段階を含む。
【００４０】
指定された時間周波数リソースは、データチャネルに対応する復調参照信号ＤＭＲＳにより占有される時間周波数リソース、リソース情報により示される時間周波数リソースでネットワークデバイスにより送信されるチャネル状態情報参照信号ＣＳＩ−ＲＳにより占有される時間周波数リソース、及びネットワークデバイスにより予約される時間周波数リソースのうちの１つ又は複数を含んでよい。
【００４１】
任意選択で、ネットワークデバイスにより予約される時間周波数リソースは、ネットワークデバイスにより予め設定される信号又はチャネルにより占有される時間周波数リソース、例えば、主同期信号（ｐｒｉｍａｒｙ  ｓｙｎｃｈｒｏｎｉｚａｔｉｏｎ  ｓｉｇｎａｌ、ＰＳＳ）、副同期信号（ｓｅｃｏｎｄａｒｙ  ｓｙｎｃｈｒｏｎｉｚａｔｉｏｎ  ｓｉｇｎａｌ、ＳＳＳ）、又は物理ブロードキャストチャネル（ｐｈｙｓｉｃａｌ  ｂｒｏａｄｃａｓｔ  ｃｈａｎｎｅｌ、ＰＢＣＨ）などにより占有される時間周波数リソースを含んでよい。
【００４２】
本願の実施形態において、データチャネルのリソース情報は、制御情報を用いて示されてよく、端末デバイスは、リソース情報により示される時間周波数リソース及び固定オーバーヘッドの時間周波数リソースに基づいて、データチャネル向けに利用可能な時間周波数リソースを決定し、その結果、データチャネル向けに利用可能な時間周波数リソースの数を決定する方式はより柔軟であり、決定された時間周波数リソースの数はより正確であり、そのため、決定されたＴＢＳの精度が向上する。
【００４３】
任意選択で、第１のマッピング関係群は、複数のマッピング関係群のうちのデフォルトのマッピング関係群である。
【００４４】
あるいは、ネットワークデバイスにより送信される制御情報を端末デバイスが受信する段階の前に、本方法はさらに、ネットワークデバイスにより送信される設定情報を端末デバイスが受信する段階を含む。あるいは、ネットワークデバイスが制御情報を端末デバイスに送信する段階の前に、本方法はさらに、ネットワークデバイスが設定情報を端末デバイスに送信する段階を含む。設定情報は第１のマッピング関係群を示し、第１のマッピング関係群は複数のマッピング関係群のうちの１つである。
【００４５】
任意選択で、１つのマッピング関係群が１つのテーブルに対応してよい。各マッピング関係群は、変調方式及び符号レートからなる１つ又は複数の組み合わせを含んでよく、各組み合わせは１つの指示情報に対応してよい。さらに、指示情報はインデックスであってよい。
【００４６】
本願の実施形態では、複数のマッピング関係群が設定されても定められてもよく、各マッピング関係群は、端末デバイスのサービスに適用可能であってよい。このように、端末デバイス又はネットワークデバイスは、端末デバイスのサービスにより十分に適合するために、異なるサービスに基づいて異なるマッピング関係テーブルを選択してよい。複数のマッピング関係群は、サービスに関連しているだけでなく、他の情報にも関連していてよいことに留意されたい。このことは、本願において限定されるものではない。このように、複数のマッピング関係群を用いる場合、端末デバイス又はネットワークデバイスは、他の情報に基づいてマッピング関係群を決定しても、デフォルトのマッピング関係群を選択してもよい。
【００４７】
任意選択で、制御情報はさらに、マッピング関係群の指示情報を含み、マッピング関係群の指示情報は第１のマッピング関係群を示し、第１のマッピング関係群は複数のマッピング関係群のうちの１つである。
【００４８】
任意選択で、制御情報のフォーマットが第１のマッピング関係群を示し、第１のマッピング関係群は複数のマッピング関係群のうちの１つである。
【００４９】
任意選択で、制御情報により示されるデータチャネルで搬送される情報のタイプが、第１のマッピング関係群を示し、第１のマッピング関係群は複数のマッピング関係群のうちの１つである。
【００５０】
本願の実施形態では、端末デバイスに適用可能なマッピング関係群が、制御情報又は設定情報を用いて示されてよい。このことは、複数の柔軟なリソース割り当てシナリオに動的に適合してよく、適用性がより高い。
【００５１】
任意選択で、制御情報はプリコーディング指示情報を含み、プリコーディング指示情報は、データチャネルによりサポートされるトランスポート層の数を示す。それに対応して、変調方式、符号レート、及び時間周波数リソースの数に基づいて、第１のトランスポートブロックサイズＴＢＳを端末デバイスが決定する段階の前に、本方法はさらに、制御情報に含まれるプリコーディング指示情報に基づいて、データチャネルによりサポートされるトランスポート層の数を端末デバイスが決定する段階を含む。
【００５２】
任意選択で、変調方式、符号レート、及び時間周波数リソースの数に基づいて、第１のトランスポートブロックサイズＴＢＳを端末デバイスが決定する段階の前に、本方法はさらに、データチャネルに対応する伝送モードに基づいて、データチャネルによりサポートされるトランスポート層の数を端末デバイスが決定する段階を含む。
【００５３】
それに対応して、変調方式、符号レート、及び時間周波数リソースの数に基づいて、第１のトランスポートブロックサイズＴＢＳをネットワークデバイスが決定する段階の前に、本方法はさらに、データチャネルによりサポートされるトランスポート層の数を、データチャネルに対応する伝送モードに基づいてネットワークデバイスが決定する段階を含む。
【００５４】
本願の実施形態において、データチャネルによりサポートされるトランスポート層の数は、複数の方式で決定されてよく、データチャネルによりサポートされるトランスポート層の数を決定する方式はより柔軟である。このことは、様々なリソース割り当てシナリオにより十分に適合し得る。
【００５５】
第３の態様によれば、端末デバイスが提供され、この端末デバイスは、送受信機ユニット及び処理ユニットを含んでよい。送受信機ユニット及び処理ユニットは、第１の態様及び前述の任意選択の実装例における端末デバイスの諸機能を実行してよい。
【００５６】
第４の態様によれば、ネットワークデバイスが提供され、このネットワークデバイスは、送受信機ユニット及び処理ユニットを含んでよい。送受信機ユニット及び処理ユニットは、第２の態様及び前述の任意選択の実装例におけるネットワークデバイスの諸機能を実行してよい。
【００５７】
第５の態様によれば、端末デバイスが提供され、この端末デバイスは、プロセッサ、メモリ、及び送受信機を含んでよい。メモリ及び送受信機はプロセッサに接続され、メモリは一群のプログラムコードを格納するように構成され、プロセッサ及び送受信機は、メモリに格納されたプログラムコードを呼び出して、第１の態様で提供された方法を実行するように構成される。
【００５８】
第６の態様によれば、ネットワークデバイスが提供され、このネットワークデバイスは、プロセッサ、メモリ、及び送受信機を含んでよい。メモリ及び送受信機はプロセッサに接続され、メモリは一群のプログラムコードを格納するように構成され、プロセッサ及び送受信機は、メモリに格納されたプログラムコードを呼び出して、第２の態様で提供された方法を実行するように構成される。
【００５９】
第７の態様によれば、通信システムが提供され、本システムは、第３の態様で提供された端末デバイスと、第４の態様で提供されたネットワークデバイスとを含む。
【００６０】
第８の態様によれば、コンピュータ記憶媒体が提供され、このコンピュータ記憶媒体は、前述の端末デバイスにより用いられるコンピュータソフトウェア命令を格納するように構成され、コンピュータソフトウェア命令は、前述の態様を実行するように設計されたプログラムを含む。
【００６１】
第９の態様によれば、コンピュータ記憶媒体が提供され、このコンピュータ記憶媒体は、前述のネットワークデバイスにより用いられるコンピュータソフトウェア命令を格納するように構成され、コンピュータソフトウェア命令は、前述の態様を実行するように設計されたプログラムを含む。
【００６２】
第１０の態様によれば、チップが提供される。本チップは、ネットワークデバイス内の送受信機に連結されて、本願の実施形態の第２の態様における技術的解決手段を実行する。本願の本実施形態における「連結」とは、２つの部分間の直接的な接続又は間接的な接続を示すことを理解されたい。この接続は、固定式であっても可動式であってもよく、この接続によって、２つの部分間で流体、電気、電気信号、又は別の種類の信号の伝達が可能になり得る。
【００６３】
第１１の態様によれば、チップが提供され、本チップは、端末デバイス内の送受信機に連結されて、本願の実施形態の第１の態様における技術的解決手段を実行する。本願の本実施形態における「連結」とは、２つの部分間の直接的な接続又は間接的な接続を示すことを理解されたい。この接続は、固定式であっても可動式であってもよく、この接続によって、２つの部分間で流体、電気、電気信号、又は別の種類の信号の伝達が可能になり得る。
【図面の簡単な説明】
【００６４】
【図１】本願の一実施形態による通信システムの基本アーキテクチャである。
【００６５】
【図２】本願の一実施形態による、トランスポートブロックサイズを決定する方法の実施形態の概略図である。
【００６６】
【図３】本願の一実施形態による端末デバイスの概略構造図である。
【００６７】
【図４】本願の一実施形態によるネットワークデバイスの概略構造図である。
【００６８】
【図５】本願の一実施形態による通信デバイスの概略構造図である。
【発明を実施するための形態】
【００６９】
以下では、本願の実施形態の添付図面を参照して、本願の実施形態を説明する。
【００７０】
本願の実施形態において提供される、トランスポートブロックサイズを決定する方法と装置とは、５Ｇ通信システムに適用可能であってもよく、ＬＴＥシステム又は様々な無線アクセス技術を用いる他の無線通信システムに適用可能であってもよい。他の無線通信システムとは、例えば、符号分割多元接続（ｃｏｄｅ  ｄｉｖｉｓｉｏｎ  ｍｕｌｔｉｐｌｅ  ａｃｃｅｓｓ、ＣＤＭＡ）、周波数分割多元接続（ｆｒｅｑｕｅｎｃｙ  ｄｉｖｉｓｉｏｎ  ｍｕｌｔｉｐｌｅ  ａｃｃｅｓｓ、  ＦＤＭＡ）、時分割多元接続（ｔｉｍｅ  ｄｉｖｉｓｉｏｎ  ｍｕｌｔｉｐｌｅ  ａｃｃｅｓｓ、ＴＤＭＡ）、直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ、ＯＦＤＭＡ）、及びシングルキャリア周波数分割多元接続（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ、ＳＣ−ＦＤＭＡ）などのアクセス技術を用いるシステムである。以下では、一例として５Ｇ通信システムを用いて説明を行う。
【００７１】
図１を参照すると、図１は、本願の一実施形態による通信システムの基本アーキテクチャを示す。
【００７２】
本願の本実施形態において提供される通信システムは、ネットワークデバイス及び端末デバイスなどを含んでよい。ネットワークデバイス及び端末デバイスは、無線インタフェースを用いてデータ伝送又はシグナリング伝送を実行してよく、この伝送には、アップリンク伝送及びダウンリンク伝送が含まれる。
【００７３】
端末デバイスは、無線送受信機能を有するデバイスであり、端末デバイスは、陸上に展開されてもよく（例えば、屋内デバイス、屋外デバイス、ハンドヘルド型デバイス、又は車載デバイス）、水上に（例えば船上に）展開されてもよく、空中に（例えば、飛行機、気球、又は衛星に）展開されてもよい。端末デバイスは、携帯電話（ｍｏｂｉｌｅ  ｐｈｏｎｅ）、タブレットコンピュータ（Ｐａｄ）、無線送受信機能を有するコンピュータ、仮想現実（Ｖｉｒｔｕａｌ  Ｒｅａｌｉｔｙ、ＶＲ）用の端末デバイス、拡張現実（Ａｕｇｍｅｎｔｅｄ  Ｒｅａｌｉｔｙ、ＡＲ）用の端末デバイス、産業用制御（ｉｎｄｕｓｔｒｉａｌ  ｃｏｎｔｒｏｌ）向けの無線端末、自動運転（ｓｅｌｆ  ｄｒｉｖｉｎｇ）向けの無線端末、遠隔医療（ｒｅｍｏｔｅ  ｍｅｄｉｃａｌ）向けの無線端末、スマートグリッド（ｓｍａｒｔ  ｇｒｉｄ）向けの無線端末、輸送安全性（ｔｒａｎｓｐｏｒｔａｔｉｏｎ  ｓａｆｅｔｙ）向けの無線端末、スマートシティ（ｓｍａｒｔ  ｃｉｔｙ）向けの無線端末、又はスマートホーム（ｓｍａｒｔ  ｈｏｍｅ）向けの無線端末などであってよい。
【００７４】
説明しやすいように、本願の実施形態の次の説明では、上述したデバイスは、説明のためにまとめて端末デバイスと呼ばれる。
【００７５】
本願の本実施形態におけるネットワークデバイスは、無線アクセスネットワーク（ｒａｄｉｏ  ａｃｃｅｓｓ  ｎｅｔｗｏｒｋ、ＲＡＮ）に展開され、且つ無線通信機能を端末デバイスに提供するように構成された装置である。ネットワークデバイスは、具体的には基地局であってよく、様々な形態のマクロ基地局、マイクロ基地局、中継ノード、アクセスポイント基地局制御装置、及び送受信ノード（ｔｒａｎｓｍｉｓｓｉｏｎ  ｒｅｃｅｐｔｉｏｎ  ｐｏｉｎｔ、ＴＲＰ）などを含んでよい。基地局は、異なる無線アクセス技術を用いるシステムにおいて、異なる特定の名称を有することがある。例えば、ＬＴＥネットワークでは、基地局は進化型ＮｏｄｅＢ（ｅｖｏｌｖｅｄ  ＮｏｄｅＢ、ｅＮＢ）と呼ばれ、それに続く進化型システムでは、基地局はさらに、次世代ｎｏｄｅＢなどの新たな無線ｎｏｄｅＢ（ｎｅｗ  ｒａｄｉｏ  ｎｏｄｅＢ、ｇＮＢ）と呼ばれることがある。説明しやすいように、本願の実施形態の次の説明では、上述したデバイスは、まとめてネットワークデバイスと呼ばれる。
【００７６】
５Ｇ通信システムは、より高いシステムパフォーマンスをサポートする目的で作られており、５Ｇ通信システムは、複数のサービスタイプ、異なる展開シナリオ、より広いスペクトル範囲をサポートする。複数のサービスタイプには、高速大容量通信（ｅｎｈａｎｃｅｄ  ｍｏｂｉｌｅ  ｂｒｏａｄｂａｎｄ、ｅＭＢＢ）、多数同時接続通信（ｍａｓｓｉｖｅ  ｍａｃｈｉｎｅ  ｔｙｐｅ  ｃｏｍｍｕｎｉｃａｔｉｏｎ、ｍＭＴＣ）、超信頼低遅延通信（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ、ＵＲＬＬＣ）、マルチメディアブロードキャストマルチキャストサービス（ｍｕｌｔｉｍｅｄｉａ  ｂｒｏａｄｃａｓｔ  ｍｕｌｔｉｃａｓｔ  ｓｅｒｖｉｃｅ、ＭＢＭＳ）、及び測位サービスなどが含まれる。異なる展開シナリオには、屋内ホットスポット（Ｉｎｄｏｏｒ  ｈｏｔｓｐｏｔ）、密集した都市圏（ｄｅｎｓｅ  ｕｒｂａｎ）、郊外（ｓｕｂｕｒｂｓ）、都市部（Ｕｒｂａｎ  Ｍａｃｒｏ）、及び高速鉄道シナリオが含まれてよい。より広いスペクトル範囲は、５Ｇ無線通信システムが１００ギガヘルツ（ＧＨｚ）までのスペクトル範囲をサポートすることを示しており、このスペクトル範囲には、６ＧＨｚ未満の低周波数部と、６ＧＨｚから１００ＧＨｚまでの高周波数部が含まれる。
【００７７】
第４世代移動通信技術（４ｔｈ  ｇｅｎｅｒａｔｉｏｎ、４Ｇ）の通信システムと比較すると、５Ｇ通信システムの特徴はＵＲＬＬＣのサポートにある。ＵＲＬＬＣには、複数のサービスタイプが含まれる。代表的な応用事例には、産業用制御、工業生産工程の自動化、人とコンピュータとのインタラクション、及び遠隔医療などが含まれる。ＵＲＬＬＣサービスのパフォーマンス指標をより十分に定量化し、５Ｇ通信システムの設計に参考情報及び評価基準を提供するために、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）のＲＡＮ作業部会及びＲＡＮ１作業部会が、ＵＲＬＬＣサービスのパフォーマンス指標（遅延、信頼性、及びシステム容量などを含む）を以下のとおり定めている。
・遅延とは、ユーザアプリケーション層のデータパケットが、送信側の無線プロトコル層２及び／又は無線プロトコル層３のサービスデータユニット（ｓｅｒｖｉｃｅ  ｄａｔａ  ｕｎｉｔ、ＳＤＵ）から受信側の無線プロトコル層２及び／又は無線プロトコル層３のＳＤＵまでに必要な伝送時間である。ＵＲＬＬＣサービスのユーザプレーン遅延要件は、アップリンク伝送及びダウンリンク伝送の両方とも０．５ｍｓである。この遅延要件は、ネットワークデバイス及び端末デバイスが間欠受信（ＤＲＸ）状態にないシナリオのみに適用可能である。０．５ｍｓというパフォーマンス要件は、データパケットの平均遅延であり、ＵＲＬＬＣサービスのパフォーマンス指標のうちの信頼性要件に拘束されてはいない。
・信頼性とは、一定のチャネル品質で送信側から受信側までデータ伝送する工程において、ある量（Ｘビットであると仮定する）のデータを特定の伝送時間（Ｌ秒であると仮定する）内に正しく伝送する成功確率である。伝送時間は依然として、ユーザアプリケーション層のデータパケットが、送信側の無線プロトコル層２及び／又は無線プロトコル層３のＳＤＵから受信側の無線プロトコル層２及び／又は無線プロトコル層３のＳＤＵまでに必要な伝送時間として定められている。ＵＲＬＬＣサービスの場合、代表的な要件は、１ｍｓ以内に９９．９９９％という信頼性を実現することである。前述のパフォーマンス指標は、単なる標準値にすぎないことに留意されたい。特定の実装において、異なる応用シナリオのＵＲＬＬＣサービスが異なる信頼性要件を有してよい。例えば、極端に厳しい一部の産業用制御サービスでは、送信側から受信側までの遅延が０．２５ｍｓ以内であること、またデータ伝送の信頼性が９９．９９９９９９９％に達することが必要とされる。
・システム容量とは、割り込まれたユーザの一定の割合に適合するという前提でシステムが実現できる、セルの最大スループットである。割り込まれたユーザとは、システムが特定の遅延範囲内において適合できない信頼性要件を有するユーザである。言い換えれば、一部のユーザが必要とする特定の遅延範囲内での信頼性が、システムにより満たされることができないため、当該ユーザは割り込まれたユーザと呼ばれる。
【００７８】
５Ｇ通信システムは、複数のサービスの異なるパフォーマンス指標の要件をサポートする必要がある。したがって、５Ｇ通信システムのリソーススケジューリングは、より柔軟である必要がある。より柔軟なリソーススケジューリング方式とは、より柔軟なデータ伝送を示す。したがって、データ伝送においてＴＢＳを決定する方式も、より柔軟である必要がある。本願の実施形態は、ＴＢＳを決定する方法及び装置を提供する。本方法及び本装置は、より柔軟なリソーススケジューリング方式に適用可能であり、より多様なサービスパフォーマンス指標の要件に適合し得る。
【００７９】
以下では、本願の実施形態による、ＴＢＳを決定する方法及び装置を、図２から図５を参照して説明する。
【００８０】
図２を参照すると、図２は、本願の一実施形態による、ＴＢＳを決定する方法の実施形態の概略図である。本願の本実施形態において提供される方法は、以下に挙げる段階を含んでよい。
【００８１】
Ｓ２０：ネットワークデバイスが、変調方式及び符号レートを決定し、第１のマッピング関係群と変調方式及び符号レートの組み合わせとに基づいて指示情報を決定する。
【００８２】
５Ｇ通信システムでは、端末デバイスが１つ又は複数のサービス、例えば、ＵＲＬＬＣサービス、ｅＭＢＢサービス、及びｍＭＴＣサービスをサポートしてよい。
【００８３】
特定の実装において、端末デバイスによりサポートされる１つのサービスが１つのマッピング関係群に対応してよく、１つのマッピング関係群は、以下のテーブル１又はテーブル２などの１つのテーブルとして表されてよい。テーブル１は、変調方式及び符号レートのマッピング関係群についての概略テーブルである。説明しやすいように、テーブル１に示すマッピング関係群は、本願の本実施形態の次の説明においてマッピング関係群１に設定されてよい。テーブル２は、変調方式及び符号レートのマッピング関係群についての別の概略テーブルである。説明しやすいように、テーブル２に示すマッピング関係群は、本願の本実施形態の次の説明においてマッピング関係群２に設定されてよい。
【００８４】
任意選択で、各マッピング関係群は、変調方式及び符号レートの１つ又は複数の組み合わせを含んでよく、各組み合わせは１つの指示情報に対応してよい。例えば、テーブル１の変調方式及び符号レートの組み合わせが、（変調次数２に対応する）変調方式ＱＰＳＫ及び符号レート０．０１の（組み合わせ１に設定される）組み合わせを含み、組み合わせ１に対応する指示情報が、０と等しいＭＣＳ  ｉｎｄｅｘである。
【００８５】
任意選択で、このマッピング関係群は、テーブル以外の他の形態でも表されてよく、具体的には、実際の応用シナリオ要件に基づいて決定されてよい。これは、本明細書において限定されるものではない。
［テーブル１］
【表１】
0006891979.tif 000005
【００８６】
前述のテーブル１に示すように、マッピング関係群１に示す変調方式及び符号レートについては、データチャネルの変調方式及び符号レートの組み合わせが８通りあり、変調方式には、四位相偏移変調（ｑｕａｄｒａｔｕｒｅ  ｐｈａｓｅ  ｓｈｉｆｔ  ｋｅｙｉｎｇ、ＱＰＳＫ）、１６直交振幅変調（１６  ｑｕａｄｒａｔｕｒｅ  ａｍｐｌｉｔｕｄｅ  ｍｏｄｕｌａｔｉｏｎ、１６ＱＡＭ）が含まれる。１つの変調方式が１つの変調次数に対応する。したがって、変調方式と符号レートとの対応関係は、具体的には、変調次数と符号レートとの対応関係を用いて表されてよい。例えば、変調方式ＱＰＳＫの変調次数（Ｑ又はＱｍと表記される）は２であり、変調方式１６ＱＡＭの変調次数は４である。特定の実装において、変調方式は、別のデータ形式でも表されてよい。これは、本明細書において限定されるものではない。データチャネルの符号レートは低符号レート領域、例えば、０．０１〜０．１５の低符号レート領域に集中している。例えば、ＵＲＬＬＣサービスは高信頼性低遅延のパフォーマンス要件を有し、ＵＲＬＬＣサービスの変調方式は主に低次変調方式であり、符号レートは主に低符号レート範囲に集中している。したがって、マッピング関係群１は、端末デバイスによりサポートされるＵＲＬＬＣサービスなどに適用可能であってよい。ＵＲＬＬＣサービスは単なる一例にすぎない。マッピング関係群１は、より多くのタイプのサービスにも適用可能であってよく、適用可能なサービスタイプが、具体的には、実際の応用シナリオに基づいて決定され得る。これは、本明細書において限定されるものではない。
【００８７】
前述のテーブル１に示すように、変調方式及び符号レートの１つの組み合わせが１つのインデックスに対応してよい。変調方式及び符号レートのインデックスは、ＭＣＳ  ｉｎｄｅｘであってもよく、別の表現形式のインデックス情報であってもよい。これは、本明細書において限定されるものではない。説明しやすいように、以下では、ＭＣＳ  ｉｎｄｅｘを用いて説明する。テーブル２では、詳細を説明しない。
［テーブル２］
【表２】
0006891979.tif 000006
【００８８】
前述のテーブル２に示すように、マッピング関係群２に示す変調方式及び符号レートについては、データチャネルの変調方式及び符号レートの組み合わせが１６通りある。変調方式には、ＱＰＳＫ（対応する変調次数は２であり、具体的にはＱ＝２又はＱｍ＝２である）、１６ＱＡＭ（対応する変調次数は４であり、具体的にはＱ＝４又はＱｍ＝４である）、及び６４ＱＡＭ（対応する変調次数は６であり、具体的にはＱ＝６又はＱｍ＝６である）が含まれる。符号レートは比較的広い範囲、例えば、０．０５〜０．８の範囲をカバーする。例えば、ｅＭＢＢサービスはデータ伝送において大量の伝送データ及び高い伝送レートなどを特徴とするため、ｅＭＢＢサービスはより多くの変調方式を有し、符号レートはより広い範囲をカバーする。したがって、マッピング関係群２は、端末デバイスによりサポートされるｅＭＢＢサービスなどに適用可能であってよい。ｅＭＢＢサービスは単なる一例にすぎない。マッピング関係群２は、より多くのタイプのサービスにも適用可能であってよく、適用可能なサービスタイプが、具体的には、実際の応用シナリオに基づいて決定され得る。これは、本明細書において限定されるものではない。
【００８９】
任意選択で、本願の本実施形態において説明されるマッピング関係群がマッピング関係群１又はマッピング関係群２を含むことは、ネットワークデバイスによって設定されてよい。ネットワークデバイスは、端末デバイスによりサポートされる異なるサービスのパフォーマンス指標の要件に基づいて、異なるマッピング関係群を端末デバイスに設定し、端末デバイスの異なるサービスの異なるパフォーマンス指標の要件に適合してよい。特定の実装において、１つの端末デバイスが１つのサービスのみをサポートする場合、ネットワークデバイスは、異なるサービスをサポートする異なる端末デバイスのそれぞれに１つのマッピング関係群を設定してよい。言い換えれば、ネットワークデバイスは、複数のマッピング関係群を複数の端末デバイスに設定する。特定の実装において、マッピング関係群の数はネットワークデバイスにより決定されてもよく、端末デバイスによりサポートされるサービスタイプの数に基づいて決定されてもよい。これは、本明細書において限定されるものではない。ネットワークデバイスは、異なるマッピング関係群を異なるサービスに設定してよく、さらに、端末デバイスで搬送されるサービスに基づいて、当該サービスに対応するマッピング関係群の指示情報を送出してよい。
【００９０】
任意選択で、本願の本実施形態において説明されるマッピング関係群がマッピング関係群１又はマッピング関係群２を含むことは、端末デバイスにより予め設定されてよく、ネットワークデバイスにより設定される必要はない。具体的には、マッピング関係群の定義方法は、実際の応用シナリオに基づいて決定されてよい。これは、本明細書において限定されるものではない。
【００９１】
特定の実装において、ネットワークデバイスは、異なるマッピング関係群を端末デバイスの異なるサービスに設定する、又は端末デバイスは、異なるマッピング関係群を端末デバイスの異なるサービスに予め設定し、端末デバイスのサービスにさらによく適合させる。例えば、ＵＲＬＬＣサービスは高信頼性低遅延のパフォーマンス要件を有するため、ＵＲＬＬＣサービスの変調方式は主に低次変調方式であり、符号レートは主に低符号レート範囲に集中している。変調方式及び符号レートのマッピング関係群（例えばマッピング関係群１）は、ＵＲＬＬＣサービス向けに特別に定められている。一方では、変調方式及び符号レートの組み合わせ総数を減らすことができ、その結果、端末デバイスが変調方式及び符号レートを通知されると、ダウンリンク制御情報のオーバーヘッドを減らすことができる。他方では、低符号レートの実用領域における分解能が向上して、チャネルにさらによく適合し、システムのスペクトル効率を向上させることができる。
【００９２】
任意選択で、ネットワークデバイスはデフォルトのマッピング関係群を端末デバイスに設定してよく、又は端末デバイスはデフォルトのマッピング関係群を予め設定する。デフォルトのマッピング関係群は、端末デバイスのシステムブロードキャストメッセージを受信するというシナリオの要件、例えば、システムメッセージ（ｓｙｓｔｅｍ  ｉｎｆｏｒｍａｔｉｏｎ）を受信する、ページング（ｐａｇｉｎｇ）メッセージを受信する、及びランダムアクセス応答（ｒａｎｄｏｍ  ａｃｃｅｓｓ  ｒｅｓｐｏｎｓｅ）を受信するなどの応用要件に適用可能である。デフォルトのマッピング関係群は、端末デバイスに設定されるので、端末デバイスのサービスに必要なマッピング関係群がより完全であり、端末デバイスのサービスリソース設定がより柔軟である。
【００９３】
任意選択で、いくつかの実現可能な実装例において、ネットワークデバイスは、チャネル状態又はスケジューリング対象リソースなどの情報に基づいて、変調方式及び符号レートを決定してよい。ネットワークデバイスは、決定された変調方式及び符号レートの組み合わせに基づいて第１のマッピング関係群から、変調方式及び符号レートの組み合わせに対応する指示情報を決定してよい。第１のマッピング関係群は、複数のマッピング関係群のうちのデフォルトのマッピング関係群であってよい。変調方式及び符号レートの組み合わせに対応する指示情報は、ＭＣＳ  ｉｎｄｅｘなどのインデックス情報であってよい。任意選択で、第１のマッピング関係群は、端末デバイスによりサポートされるサービスに対応するマッピング関係群であってもよい。例えば、端末デバイスによりサポートされるサービスはＵＲＬＬＣサービスであり、ネットワークデバイスが（変調次数２に対応する）変調方式ＱＰＳＫ及び符号レート０．０１の（組み合わせ１に設定される）組み合わせを決定した後に、ネットワークデバイスは、マッピング関係群１（テーブル１）から、組み合わせ１に対応する指示情報、すなわちＭＣＳ  ｉｎｄｅｘが０であると決定してよい。
【００９４】
任意選択で、端末デバイスは、端末デバイスによりサポートされるサービスタイプをネットワークデバイスに報告してよい。ネットワークデバイスは、端末デバイスによりサポートされるサービスタイプに基づいて複数のマッピング関係群から、端末デバイスによりサポートされるサービスタイプに適用可能な第１のマッピング関係群を選択してよい。具体的には、第１のマッピング関係群は複数のマッピング関係群のうちの１つである。例えば、端末デバイスによりサポートされるサービスタイプがＵＲＬＬＣであることを端末デバイスが報告した場合、ネットワークデバイスは、テーブル１に示すマッピング関係群（マッピング関係群１）を第１のマッピング関係群として用いてよい。ネットワークデバイスは、チャネル状態又はスケジューリング対象リソースなどの情報に基づいて第１のマッピング関係群から、変調方式及び符号レートの組み合わせを決定し、その変調方式及び符号レートの組み合わせに対応する指示情報を決定してよい。例えば、ネットワークデバイスは、チャネル状態及びスケジューリング対象リソースなどの情報に基づいて、（変調次数２に対応する）変調方式ＱＰＳＫ及び符号レート０．０１を決定し、さらに、変調方式及び符号レートの組み合わせの指示情報が０と等しいＭＣＳ  ｉｎｄｅｘであることを、テーブル１から決定してよい。
【００９５】
Ｓ２２：ネットワークデバイスは、制御情報を端末デバイスに送信する。
【００９６】
任意選択で、制御情報は具体的には、ダウンリンク制御情報（ｄｏｗｎｌｉｎｋ  ｃｏｎｔｒｏｌ  ｉｎｆｏｒｍａｔｉｏｎ、ＤＣＩ）であってよい。ＤＣＩは、変調方式及び符号レートの指示情報、及びデータチャネルのリソース情報などを含んでよい。指示情報は、ネットワークデバイスにより決定される変調方式及び符号レートのインデックスを示す。リソース情報は、時間周波数リソースの数を決定するのに用いられる。
【００９７】
任意選択で、ネットワークデバイスにより端末デバイスに送信されるＤＣＩは、マッピング関係群の指示情報を含んでよい。マッピング関係群の指示情報は、ネットワークデバイスにより決定される第１のマッピング関係群を示すのに用いられる。
【００９８】
任意選択で、ＤＣＩは、第１のマッピング関係群を示すのに用いられる少なくとも１つのビットを含んでよい。例えば、データチャネルにより用いられる変調方式及び符号レートのマッピング関係群が、１つのビットを用いてＤＣＩに示される。ビットの値が「０」の場合、マッピング関係群１（テーブル１に示すマッピング関係群）は、データチャネルにより用いられる変調方式及び符号レートに対応する。ビットの値が「１」の場合、マッピング関係群２（テーブル２に示すマッピング関係群）は、データチャネルにより用いられる変調方式及び符号レートに対応する。端末デバイスは、ＤＣＩ内のビットの値に基づいて第１のマッピング関係群を決定してよい。
【００９９】
任意選択で、ネットワークデバイスはＤＣＩを端末デバイスに送出し、端末デバイスは、ＤＣＩのフォーマットに基づいて、ＤＣＩに対応するデータチャネルにより用いられる変調方式及び符号レートのマッピング関係群を決定してよい。ＤＣＩのフォーマットは、ＤＣＩに含まれる元の情報ビットに対応している。例えば、ＤＣＩのフォーマット１が、データチャネルにより用いられる変調方式及び符号レートのマッピング関係群１に対応しており、ＤＣＩのフォーマット２が、データチャネルにより用いられる変調方式及び符号レートのマッピング関係群２に対応している。端末デバイスは、ＤＣＩのフォーマットに基づいて第１のマッピング関係群を決定してよい。
【０１００】
任意選択で、ネットワークデバイスはＤＣＩを端末デバイスに送出し、端末デバイスは、データチャネルで搬送される情報のタイプに基づいて、ＤＣＩに対応するデータチャネルにより用いられる変調方式及び符号レートのマッピング関係群を決定してよい。例えば、端末デバイスは、データチャネルがシステムメッセージを搬送することを、ＤＣＩを用いて決定してよく、さらに、データチャネルにより用いられる変調方式及び符号レートのデフォルトのマッピング関係群などの第１のマッピング関係群を決定してよい。
【０１０１】
任意選択で、ネットワークデバイスにより送信されるＤＣＩが第１のマッピング関係群の指示情報を含まない場合、端末デバイスは、デフォルトのマッピング関係群を第１のマッピング関係群として決定してよい。
【０１０２】
任意選択で、ＤＣＩを端末デバイスに送信する前に、ネットワークデバイスは、設定情報を端末デバイスに送信し、設定情報を用いて、ＤＣＩに対応するデータチャネルにより用いられる変調方式及び符号レートの第１のマッピング関係群を示してよい。
【０１０３】
Ｓ２４：端末デバイスは、制御情報を受信し、第１のマッピング関係群及び制御情報に基づいてＴＢＳ設定パラメータを決定する。
【０１０４】
任意選択で、ＴＢＳ設定パラメータは、変調方式、符号レート、及び時間周波数リソースの数を含んでよい。
【０１０５】
具体的には、第１のマッピング関係群を決定した後に、端末デバイスは、変調方式及び符号レートの組み合わせについての、ＤＣＩに含まれる指示情報（例えば、ＭＣＳ  ｉｎｄｅｘ）に基づいて、変調方式及び符号レートを第１のマッピング関係群から決定してよい。例えば、第１のマッピング関係群がテーブル１に示すマッピング関係群１であり、また指示情報で示されるＭＣＳ  ｉｎｄｅｘが０であることを端末デバイスが決定した場合、端末デバイスは変調方式及び符号レートをテーブル１から決定してよい。具体的には、端末デバイスは、変調方式及び符号レートの組み合わせ１に対応する変調方式１及び符号レート０．０１を決定する。
【０１０６】
任意選択で、ＤＣＩはデータチャネルのリソース情報を含んでよい。リソース情報は、ネットワークデバイスにより端末デバイスに割り当てられる時間周波数リソースを示し、端末デバイスは、ネットワークデバイスにより端末デバイスに割り当てられ且つリソース情報により示される時間周波数リソースに基づいて、また固定オーバーヘッドの時間周波数リソースに基づいて、データチャネルにより占有される時間周波数リソースの数を決定してよい。具体的には、データチャネルにより占有される時間周波数リソースは、データチャネル向けに利用可能な時間周波数リソースであってよく、具体的には、ネットワークデバイスにより端末デバイスに割り当てられた時間周波数リソースから固定オーバーヘッドの時間周波数リソース（指定された時間周波数リソース）を減算した後に求められる残りの時間周波数リソースを含んでよい。固定オーバーヘッドの時間周波数リソースは、データチャネルに対応する復調参照信号（ｄｅｍｏｄｕｌａｔｉｏｎ  ｒｅｆｅｒｅｎｃｅ  ｓｉｇｎａｌ、ＤＭＲＳ）により占有される時間周波数リソース、ネットワークデバイスにより送信されるチャネル状態情報参照信号（ｃｈａｎｎｅｌ  ｓｔａｔｅ  ｉｎｆｏｒｍａｔｉｏｎ−ｒｅｆｅｒｅｎｃｅ  ｓｉｇｎａｌ、ＣＳＩ−ＲＳ）により占有される時間周波数リソース、及びネットワークデバイスにより予約される時間周波数リソースなどを含んでよい。ネットワークデバイスにより予約される時間周波数リソースは、ネットワークデバイスにより予め設定される信号又はチャネルにより占有される時間周波数リソース、例えば、主同期信号（ｐｒｉｍａｒｙ  ｓｙｎｃｈｒｏｎｉｚａｔｉｏｎ  ｓｉｇｎａｌ、ＰＳＳ）、副同期信号（ｓｅｃｏｎｄａｒｙ  ｓｙｎｃｈｒｏｎｉｚａｔｉｏｎ  ｓｉｇｎａｌ、ＳＳＳ）、又は物理ブロードキャストチャネル（ｐｈｙｓｉｃａｌ  ｂｒｏａｄｃａｓｔ  ｃｈａｎｎｅｌ、ＰＢＣＨ）などにより占有される時間周波数リソースを含んでよい。ネットワークデバイスにより予約される時間周波数リソースは、ネットワークデバイスにより動的に通知される予約済み時間周波数リソースなども含んでよい。固定オーバーヘッドの時間周波数リソースはＲＥの単位であってよいため、データチャネルにより占有される時間周波数リソースも、ＲＥの単位であってよい。言い換えれば、データチャネルにより占有される時間周波数リソースのサイズが、物理リソースブロックのサイズより小さくてよい。
【０１０７】
Ｓ２６：端末デバイスは、変調方式、符号レート、及び時間周波数リソースの数に基づいてＴＢＳを決定する。
【０１０８】
特定の実装において、ＴＢＳ設定パラメータはさらに、ＤＣＩに対応するデータチャネルによりサポートされるトランスポート層の数を含んでよい。
【０１０９】
任意選択で、端末デバイスは、ＤＣＩに含まれるプリコーディング指示情報などに基づいて、ＤＣＩに対応するデータチャネルによりサポートされるトランスポート層の数を決定してよい。
【０１１０】
任意選択で、端末デバイスは、ＤＣＩに対応するデータチャネルに対応する伝送モードに基づいて、データチャネルによりサポートされるトランスポート層の数を決定してよい。
【０１１１】
具体的には、変調方式、符号レート、時間周波数リソースの数、及びデータチャネルによりサポートされるトランスポート層の数を決定した後に、端末デバイスは、データチャネル上のＴＢＳを決定してよい。
【０１１２】
ＴＢＳは第１のＴＢＳであってよい。
【０１１３】
任意選択で、第１のＴＢＳは次式に適合する。
【数４】
0006891979.tif 000007
ここで、Ｎはデータチャネル向けに利用可能な時間周波数リソースの数であり、ｖはデータチャネルによりサポートされるトランスポート層の数であり、Ｑは決定された変調方式に対応する変調次数であり、Ｒは決定された符号レートである。
【０１１４】
任意選択で、Ｎは大きい粒度で量子化されてよく、
【数５】
0006891979.tif 000008
であり、Ｋは正の整数である。ここで、Ｎ＿ＴＥＭＰはデータチャネル向けに利用可能な時間周波数リソースの数であってよく、Ｎは、データチャネル向けに利用可能な時間周波数リソースの量子化された数であり、Ｎは、第１のＴＢＳ及び／又は第２のＴＢＳを計算するのに用いられる。詳細については、以下で説明しない。
【０１１５】
任意選択で、第１のＴＢＳは、データチャネル向けに利用可能な時間周波数リソースの数Ｎ、データチャネルによりサポートされるトランスポート層の数ｖ、及び変調方式に基づいて、テーブルを検索することにより求められてよい。
【０１１６】
任意選択で、単位リソースで搬送されるビットの数Ｌが、変調方式とデータチャネルによりサポートされるトランスポート層の数ｖとに基づいて、テーブルを検索することにより求められてよく、さらに、第１のＴＢＳは、単位リソースで搬送されるビットの数Ｌと、単位リソースに含まれるリソースの数に対するデータチャネル向けに利用可能な時間周波数リソースの数Ｎの比とを乗算することにより求められる。
【０１１７】
任意選択で、単層伝送で搬送されるビットの数Ｌが、データチャネル向けに利用可能な時間周波数リソースの数Ｎと変調方式とに基づいてテーブルを検索することにより求められてよく、さらに、第１のＴＢＳは、単層伝送において搬送されるビットの数Ｌと、データチャネルによりサポートされるトランスポート層の数ｖとを乗算することにより求められる。
【０１１８】
任意選択で、単位リソースで単層伝送において搬送されるビットの数Ｌが、変調方式に基づいてテーブルを検索することにより求められてよく、さらに、第１のＴＢＳは、単層伝送において単位リソースで搬送されるビットの数Ｌと、単位リソースに含まれるリソースの数に対するデータチャネル向けに利用可能な時間周波数リソースの数Ｎの比と、データチャネルによりサポートされるトランスポート層の数ｖとを乗算することにより求められる。
【０１１９】
任意選択で、いくつかの実現可能な実装例において、端末デバイスは、変調方式、符号レート、時間周波数リソースの数、データチャネルによりサポートされるトランスポート層の数などのパラメータに基づいて第２のＴＢＳを決定し、次いで、第２のＴＢＳに基づいて第１のＴＢＳを決定してよい。第２のＴＢＳは、端末デバイスにより決定される一時的なＴＢＳであってよく、端末デバイスは最終的に必要なＴＢＳを、すなわち第１のＴＢＳを、一時的なＴＢＳ及び別のパラメータに基づいて決定する。
【０１２０】
任意選択で、別のパラメータは、ボイスオーバーインターネットプロトコル（ｖｏｉｃｅ  ｏｖｅｒ  ｉｎｔｅｒｎｅｔ  ｐｒｏｔｏｃｏｌ、ＶｏＩＰ）パケットのサイズ、及び／又は媒体アクセス制御（ｍｅｄｉｕｍ  ａｃｃｅｓｓ  ｃｏｎｔｒｏｌ、ＭＡＣ）制御要素（ｃｏｎｔｒｏｌ  ｅｌｅｍｅｎｔ、ＣＥ）パケットのサイズであってよい。
【０１２１】
任意選択で、第２のＴＢＳは次式に適合してよい。
【数６】
0006891979.tif 000009
ここで、Ｎはデータチャネル向けに利用可能な時間周波数リソースの数であり、ｖはデータチャネルによりサポートされるトランスポート層の数であり、Ｑは決定された変調方式に対応する変調次数であり、Ｒは決定された符号レートである。
【０１２２】
任意選択で、Ｎは大きい粒度で量子化されてよく、
【数７】
0006891979.tif 000010
であり、Ｋは正の整数である。
【０１２３】
任意選択で、第２のＴＢＳは、データチャネル向けに利用可能な時間周波数リソースの数Ｎ、データチャネルによりサポートされるトランスポート層の数ｖ、及び変調方式に基づいてテーブルを検索することにより求められてよい。
【０１２４】
任意選択で、単位リソースで搬送されるビットの数Ｌが、変調方式と、データチャネルによりサポートされるトランスポート層の数ｖとに基づいてテーブルを検索することにより求められてよく、さらに、第２のＴＢＳは、単位リソースで搬送されるビットの数Ｌと、単位リソースに含まれるリソースの数に対するデータチャネル向けに利用可能な時間周波数リソースの数Ｎの比とを乗算することにより求められる。
【０１２５】
任意選択で、単層伝送において搬送されるビットの数Ｌが、データチャネル向けに利用可能な時間周波数リソースの数Ｎと、変調方式とに基づいてテーブルを検索することにより求められてよく、さらに、第２のＴＢＳは、単層伝送において搬送されるビットの数Ｌと、データチャネルによりサポートされるトランスポート層の数ｖとを乗算することにより求められる。
【０１２６】
任意選択で、単層伝送において単位リソースで搬送されるビットの数Ｌが、変調方式に基づいてテーブルを検索することにより求められてよく、さらに、第２のＴＢＳは、単層伝送において単位リソースで搬送されるビットの数Ｌと、単位リソースに含まれるリソースの数に対するデータチャネル向けに利用可能な時間周波数リソースの数Ｎの比と、データチャネルによりサポートされるトランスポート層の数ｖとを乗算することにより求められる。
【０１２７】
任意選択で、第１のＴＢＳは、以下に挙げる方式１〜４のうちのいずれか１つで決定されてよい。
【０１２８】
［方式１］
【０１２９】
第２のＴＢＳが第１の基準閾値より大きい場合、第１のＴＢＳは第２のＴＢＳと等しい。言い換えれば、第２のＴＢＳは、第１のＴＢＳとして決定されてよく、又は、端末デバイスにより最終的に決定される第１のＴＢＳは、第２のＴＢＳと等しい。
【０１３０】
［方式２］
【０１３１】
第２のＴＢＳが第１の基準閾値より小さい又はこれと等しい場合、第１のＴＢＳは、第１の値集合内の第１の要素である。
【０１３２】
任意選択で、第２のＴＢＳが第１の基準閾値より小さい又はこれと等しい場合、第１のＴＢＳは、第１の値集合内にあり且つ第２のＴＢＳより小さい又はこれと等しい要素であってよく、当該要素と第２のＴＢＳとの差の絶対値が最小である。
【０１３３】
任意選択で、第２のＴＢＳが基準閾値より小さい又はこれと等しい場合、ネットワークデバイスは、第２のＴＢＳと第１の値集合に含まれる要素との差を順次計算して、第２のＴＢＳと第１の値集合に含まれる要素との差を求め、第１の値集合内にあり且つ第２のＴＢＳより小さい又はこれと等しい要素を選択し（当該要素と第２のＴＢＳとの差の絶対値が最小である）、当該要素を第１のＴＢＳとして決定してよい。この実装例では、第１のＴＢＳの値がデータ伝送信頼性を優先的に保証することができ、伝送効率の損失が最小である。
【０１３４】
例えば、第２のＴＢＳが４８と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、第２のＴＢＳと第１の値集合内の要素との差を計算することにより、第１の値集合内の要素４０は４８より小さく、且つ４０と４８との差の絶対値が最小であることが決定されてよい。したがって、第１のＴＢＳが４０と等しいことが決定されてよい。
【０１３５】
例えば、第２のＴＢＳが５６と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、第２のＴＢＳと第１の値集合内の要素との差を計算することにより、第１の値集合内の要素５６が第２のＴＢＳ（これは５６と等しい）と等しいことが決定されてよい。したがって、第１のＴＢＳは５６と等しいことが決定されてよい。
【０１３６】
任意選択で、第１のＴＢＳは、第１の値集合内にあり且つ第２のＴＢＳより大きい又はこれと等しい要素であってよく、当該要素と第２のＴＢＳとの差の絶対値が最小である。この実装方式では、データ伝送信頼性がわずかに低下し、また伝送効率が良好である場合に、第１のＴＢＳの値がサービス品質要件にさらによく適合することができる。
【０１３７】
例えば、第２のＴＢＳが４８と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、第１のＴＢＳは５６と等しいことが決定されてよい。
【０１３８】
例えば、第２のＴＢＳが５６と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、第１のＴＢＳは５６と等しいことが決定されてよい。
【０１３９】
任意選択で、第１のＴＢＳは第１の値集合内の要素であり、当該要素と第２のＴＢＳとの差の絶対値が最小である。第２のＴＢＳと２つの要素との差の絶対値が同じであり且つ最小である場合、小さい方の要素が選択される。この実装例では、第１のＴＢＳの値が、データ伝送信頼性のずれを最小にすることができる。伝送効率がわずかに低下するが、データ伝送信頼性が向上する。
【０１４０】
任意選択で、第１のＴＢＳは第１の値集合内の要素であり、当該要素と第２のＴＢＳとの差の絶対値が最小である。第２のＴＢＳと２つの要素との差の絶対値が同じであり且つその絶対値が最小である場合、大きい方の要素が選択される。この実装例では、第１のＴＢＳの値が、データ伝送信頼性のずれを最小にすることができる。信頼性がわずかに低下するが、データ伝送効率が向上する。
【０１４１】
例えば、第２のＴＢＳが８０と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、第１のＴＢＳは７２と等しいことが決定されてよい。
【０１４２】
例えば、第２のＴＢＳが４８と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、第１のＴＢＳは４０と等しいことが決定されてよい。
【０１４３】
任意選択で、第１の値集合は、特別なデータパケットのサイズ、例えばＶｏＩＰパケットのサイズ及び／又はＭＡＣ−ＣＥパケットのサイズを含む。
【０１４４】
任意選択で、以下の集合１又は集合２に示すように、第１の値集合は、ＶｏＩＰパケットのサイズ及び／又はＭＡＣ−ＣＥパケットのサイズのみを含んでよい。
【０１４５】
集合１は、［８，１６，２４，３２，４０，５６，７２，１０４，１２０，１４４，１５２，１７６，２０８，２２４，２５６，２９６，３２８，３４４，３９２，４４０，４８８，５３６］である。
【０１４６】
集合２は、［８，１６，２４，３２，４０，４８，５６，６４，７２，１０４，１２０，１４４，１５２，１７６，２０８，２２４，２５６，２９６，３２８，３４４，３９２，４４０，４８８，５３６］である。
【０１４７】
任意選択で、第１の値集合は、高音質音声サービスコーデック（ｅｎｈａｎｃｅｄ  ｖｏｉｃｅ  ｓｅｒｖｉｃｅｓ  ｃｏｄｅｃ，  ＥＶＳ  ｃｏｄｅｃ）パケットのサイズも含んでよい。
【０１４８】
例えば、集合３は、［８，１６，２４，３２，４０，５６，７２，１０４，１２０，１２８，１４４，１５２，１７６，２０８，２１６，２２４，２３２，２５６，２６４，２９６，３２８，３３６，３４４，３９２，４１６，４２４，４４０，４８８，５１２，５２８，５３６，５６０，６３２］である。
【０１４９】
集合４は、［８，１６，２４，３２，４０，４８，５６，６４，７２，１０４，１２０，１２８，１４４，１５２，１７６，２０８，２１６，２２４，２３２，２５６，２６４，２９６，３２８，３３６，３４４，３９２，４１６，４２４，４４０，４８８，５１２，５２８，５３６，５６０，６３２］である。
【０１５０】
任意選択で、以下の集合５又は集合６に示すように、第１の値集合は、ＶｏＩＰパケットのサイズ及び／又はＭＡＣ−ＣＥパケットのサイズを含んでよく、特別なデータパケットのサイズの中で比較的大きい差を有する要素間に挿入された要素をいくつか含んでよい。
【０１５１】
例えば、集合５は、［８，１６，２４，３２，４０，５６，７２，８８，１０４，１２０，１３６，１４４，１５２，１７６，２０８，２２４，２５６，２８０，２８８，２９６，３２８，３３６，３４４，３７６，３９２，４０８，４２４，４４０，４５６，４７２，４８８，５０４，５２０，５３６］である。
【０１５２】
集合１と比較すると、集合５の要素８８、１３６、２８０、２８８、３３６、３７６、４０８、４２４、４５６、４７２、５０４、及び５２０が、挿入された要素である。本願の本実施形態では、特別なデータパケットのサイズ（ＶｏＩＰパケットのサイズ、ＭＡＣ−ＣＥパケットのサイズ、及びＥＶＳコーデックパケットのサイズなど）の中で比較的大きい差を有する要素間にいくつかの要素が挿入され、その結果、第１の値集合の要素間の差がより均一になる。第１のＴＢＳは、特別なデータパケットのサイズであってもよく、挿入された要素であってもよく、その結果、第１のＴＢＳの値がより正確且つより適切である。
【０１５３】
集合６は、［８，１６，２４，３２，４０，４８，５６，６４，７２，８８，１０４，１２０，１３６，１４４，１５２，１７６，２０８，２２４，２５６，２８０，２８８，２９６，３２８，３３６，３４４，３７６，３９２，４０８，４２４，４４０，４５６，４７２，４８８，５０４，５２０，５３６］である。
【０１５４】
集合２と比較すると、設定６の要素８８，１３６，２８０，２８８，３３６，３７６，４０８，４２４，４５６，４７２，５０４，及び５２０が、挿入された要素である。
【０１５５】
任意選択で、以下の集合７又は集合８に示すように、第１の値集合は、ＶｏＩＰパケットのサイズ、及び／又はＭＡＣ−ＣＥパケットのサイズ、及び／又はＥＶＳコーデックパケットのサイズを含んでよく、特別なデータパケットのサイズの中で比較的大きい差を有する要素間に挿入された要素をいくつか含んでよい。
【０１５６】
集合７は、［８，１６，２４，３２，４０，５６，７２，８８，１０４，１２０，１２８，１３６，１４４，１５２，１７６，２０８，２１６，２２４，２３２，２５６，２６４，２８０，２９６，３２８，３３６，３４４，３９２，４１６，４２４，４４０，４５６，４８８，５１２，５２８，５３６，５６０，６３２］である。
【０１５７】
集合８は、［８，１６，２４，３２，４０，４８，５６，６４，７２，８８，１０４，１２０，１２８，１４４，１５２，１７６，２０８，２１６，２２４，２３２，２５６，２６４，２８０，２９６，３２８，３３６，３４４，３９２，４１６，４２４，４４０，４８８，５１２，５２８，５３６，５６０，６３２］である。
【０１５８】
第１の基準閾値は、最大ＶｏＩＰパケットのサイズ又は最大ＭＡＣ−ＣＥパケットのサイズより大きい又はこれと等しい。任意選択で、第１の基準閾値の値が、５３６又は３２８などであってもよい。
【０１５９】
さらに、第１の基準閾値は、最大ＶｏＩＰパケットのサイズ、最大ＭＡＣ−ＣＥパケットのサイズ、又は最大ＥＶＳコーデックパケットのサイズより大きい又はこれと等しい。任意選択で、第１の基準閾値の値が、５３６、３２８、又は６３２などであってもよい。
【０１６０】
本願の本実施形態では、第２のＴＢＳを第１の基準閾値と比較することにより第１のＴＢＳを決定する方式によれば、小さいデータパケット（又は小型パケットと呼ばれる）の伝送、特に特別なデータパケットの伝送がより効率的であり、大きいデータパケットが伝送される場合にＴＢＳを決定する方式は、より柔軟であり、より適切であり、より高い拡張性を有する。特別なデータパケットは、ＶｏＩＰパケット、ＭＡＣ−ＣＥパケット、及びＥＶＳコーデックパケットなどを含んでよい。これは、本明細書において限定されるものではない。
【０１６１】
［方式３］
【０１６２】
第２のＴＢＳと第１の値集合内の第２の要素との差の絶対値が、第２の基準閾値より小さい又はこれと等しい場合、第１のＴＢＳは、第１の値集合内の第２の要素である。
【０１６３】
任意選択で、第２のＴＢＳを決定した後に、端末デバイスは、第２のＴＢＳと第１の値集合に含まれる要素との差を計算し、第２のＴＢＳと第１の値集合内の要素との差の絶対値を求めてよい。第２のＴＢＳと第１の値集合内の（第２の要素に設定される）要素との差の絶対値が第２の基準閾値より小さい又はこれと等しい場合、当該要素は第１のＴＢＳとして決定されてよい。
【０１６４】
任意選択で、第２の基準閾値の値が予め定義された値であってよい。予め定義された値は、８，１６，又は３２であってもよい。予め定義された値は、プロトコルで合意されても、ネットワークデバイスにより設定されてもよい。
【０１６５】
任意選択で、第２の基準閾値の値が、第２の要素と予め定義された係数との積値、例えば、第２の要素のＭ倍であってよく、Ｍは小数であってよい。予め定義された係数は、プロトコルで合意されても、ネットワークデバイスにより設定されてもよい。
【０１６６】
任意選択で、予め定義された係数は０．０１でも０．１でもよい。あるいは、予め定義された係数は異なる第２の要素に対して異なる値に設定されてよく、具体的には、実際の応用シナリオに基づいて決定されてよい。例えば、より小さい第２の要素の場合、予め定義された係数は比較的小さい値、例えば０．０１であってよい。より大きい第２の要素の場合、予め定義された係数は比較的大きい値、例えば、０．０５であってよい。
【０１６７】
［方式４］
【０１６８】
第２のＴＢＳと第１の値集合内の第２の要素との差の絶対値が第２の基準閾値より大きい場合、第２のＴＢＳは、第１のＴＢＳとして決定される。
【０１６９】
任意選択で、第２のＴＢＳを決定した後に、端末デバイスは、第２のＴＢＳと第１の値集合に含まれる要素との差を計算し、第２のＴＢＳと第１の値集合内の要素との差の絶対値を求めてよい。第２のＴＢＳと第１の値集合内の（第２の要素に設定される）要素との差の絶対値が第２の基準閾値より大きい場合、第２のＴＢＳは第１のＴＢＳとして決定されてよい。
【０１７０】
端末デバイスは、第１のＴＢＳを異なる方式で決定してよい。第２のＴＢＳと第１の値集合内の第２の要素との差の絶対値が第２の基準閾値より大きい場合、第２のＴＢＳは第１のＴＢＳとして決定されてよく、その結果、大きいデータパケットが伝送される場合にＴＢＳを決定する方式はより柔軟であり、より適切であり、より高い拡張性を有する。第２のＴＢＳと第１の値集合内の第２の要素との差の絶対値が第２の基準閾値より小さい又はこれと等しい場合、第１の値集合内の要素（第２の要素）が第１のＴＢＳとして決定されてよく、当該要素と第２のＴＢＳとの差の絶対値が第２の基準閾値より小さい又はこれと等しいので、小さいデータパケット（又は小型パケットと呼ばれる）の伝送、特に特別なデータパケットの伝送はより効率的である。
【０１７１】
Ｓ２８：ネットワークデバイスは、変調方式、符号レート、及び時間周波数リソースの数に基づいてＴＢＳを決定する。
【０１７２】
特定の実装において、データチャネル上のＴＢＳを決定する前に、ネットワークデバイスは、データチャネルに対応する伝送モードに基づいて、データチャネルによりサポートされるトランスポート層の数を決定してよい。
【０１７３】
ネットワークデバイスは、変調方式、符号レート、時間周波数リソースの数、及びデータチャネルによりサポートされるトランスポート層の数に基づいてＴＢＳを決定してよい。ＴＢＳは第１のＴＢＳであってよい。
【０１７４】
第１のＴＢＳは次式に適合する。
【数８】
0006891979.tif 000011
ここで、Ｎはデータチャネル向けに利用可能な時間周波数リソースの数であり、ｖはデータチャネルによりサポートされるトランスポート層の数であり、Ｑは決定された変調方式に対応する変調次数であり、Ｒは決定された符号レートである。
【０１７５】
具体的には、データチャネルは、ネットワークデバイスにより端末デバイスに送信されるデータチャネルであってよい。
【０１７６】
任意選択で、Ｎは大きい粒度で量子化されてよく、
【数９】
0006891979.tif 000012
であり、Ｋは正の整数である。
【０１７７】
任意選択で、いくつかの実現可能な実装例において、ネットワークデバイスは、変調方式、符号レート、時間周波数リソースの数、データチャネルによりサポートされるトランスポート層の数などのパラメータに基づいて第２のＴＢＳを決定し、次いで、第２のＴＢＳに基づいて第１のＴＢＳを決定してよい。第２のＴＢＳは、ネットワークデバイスにより決定される一時的なＴＢＳであってよく、ネットワークデバイスは最終的に必要なＴＢＳを、すなわち第１のＴＢＳを、一時的なＴＢＳ及び別のパラメータに基づいて決定する。
【０１７８】
任意選択で、別のパラメータは、ＶｏＩＰパケットのサイズ及び／又はＭＡＣ−ＣＥパケットのサイズであってよい。
【０１７９】
任意選択で、第２のＴＢＳは次式に適合してよい。
【数１０】
0006891979.tif 000013
ここで、Ｎはデータチャネル向けに利用可能な時間周波数リソースの数であり、ｖはデータチャネルによりサポートされるトランスポート層の数であり、Ｑは決定された変調方式に対応する変調次数であり、Ｒは決定された符号レートである。
【０１８０】
任意選択で、第１のＴＢＳは、以下に挙げる方式１〜４のうちのいずれか１つで決定されてよい。
【０１８１】
［方式１］
【０１８２】
第２のＴＢＳが第１の基準閾値より大きい場合、第１のＴＢＳは第２のＴＢＳと等しい。言い換えれば、第２のＴＢＳは、第１のＴＢＳとして決定されてよく、又は、ネットワークデバイスにより最終的に決定される第１のＴＢＳは、第２のＴＢＳと等しい。
【０１８３】
［方式２］
【０１８４】
第２のＴＢＳが第１の基準閾値より小さい又はこれと等しい場合、第１のＴＢＳは、第１の値集合内の第１の要素である。
【０１８５】
任意選択で、第２のＴＢＳが第１の基準閾値より小さい又はこれと等しい場合、第１のＴＢＳは、第１の値集合内にあり且つ第２のＴＢＳより小さい又はこれと等しい要素であってよく、当該要素と第２のＴＢＳとの差の絶対値が最小である。
【０１８６】
任意選択で、第２のＴＢＳが基準閾値より小さい又はこれと等しい場合、ネットワークデバイスは、第２のＴＢＳと第１の値集合に含まれる要素との差を順次計算して、第２のＴＢＳと第１の値集合に含まれる要素との差を求め、第１の値集合から第２のＴＢＳより小さい又はこれと等しい要素を選択し（当該要素と第２のＴＢＳとの差の絶対値が最小である）、当該要素を第１のＴＢＳとして決定してよい。
【０１８７】
例えば、第２のＴＢＳが４８と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、第２のＴＢＳと第１の値集合内の要素との差を計算することにより、第１の値集合内の要素４０は４８より小さく、且つ４０と４８との差の絶対値が最小であることが決定されてよい。したがって、第１のＴＢＳが４０と等しいことが決定されてよい。
【０１８８】
例えば、第２のＴＢＳが５６と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、第２のＴＢＳと第１の値集合内の要素との差を計算することにより、第１の値集合内の要素５６が第２のＴＢＳ（これは５６と等しい）と等しいことが決定されてよい。したがって、第１のＴＢＳは５６であることが決定されてよい。
【０１８９】
任意選択で、第１のＴＢＳは、第１の値集合内にあり且つ第２のＴＢＳより大きい又はこれと等しい要素であってよく、当該要素と第２のＴＢＳとの差の絶対値が最小である。
【０１９０】
例えば、第２のＴＢＳが４８と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、第１のＴＢＳは５６と等しいことが決定されてよい。
【０１９１】
例えば、第２のＴＢＳが５６と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、第１のＴＢＳは５６と等しいことが決定されてよい。
【０１９２】
任意選択で、第１のＴＢＳは第１の値集合内の要素であり、当該要素と第２のＴＢＳとの差の絶対値が最小である。第２のＴＢＳと２つの要素との差の絶対値が同じであり且つその絶対値が最小である場合、小さい方の要素が選択される。
【０１９３】
例えば、第２のＴＢＳが８０と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、ＴＢＳは７２と等しいことが決定されてよい。
【０１９４】
例えば、第２のＴＢＳが４８と等しく、第１の値集合が［８，１６，２４，３２，４０，５６，７２，１０４，１２０，１４４，１５２，１７６，２０８，２２４，２５６，２９６，３２８，３４４，３９２，４４０，４８８，５３６］であると仮定すると、ＴＢＳは４０と等しいことが決定されてよい。
【０１９５】
任意選択で、第１の値集合は、特別なデータパケットのサイズ、例えばＶｏＩＰパケットのサイズ及び／又はＭＡＣ−ＣＥパケットのサイズを含む。
【０１９６】
任意選択で、以下の集合１又は集合２に示すように、第１の値集合は、ＶｏＩＰパケットのサイズ及び／又はＭＡＣ−ＣＥパケットのサイズのみを含んでよい。
【０１９７】
集合１は、［８，１６，２４，３２，４０，５６，７２，１０４，１２０，１４４，１５２，１７６，２０８，２２４，２５６，２９６，３２８，３４４，３９２，４４０，４８８，５３６］である。
【０１９８】
集合２は、［８，１６，２４，３２，４０，４８，５６，６４，７２，１０４，１２０，１４４，１５２，１７６，２０８，２２４，２５６，２９６，３２８，３４４，３９２，４４０，４８８，５３６］である。
【０１９９】
任意選択で、第１の値集合は、ＥＶＳコーデックパケットのサイズも含んでよい。
【０２００】
例えば、集合３は、［８，１６，２４，３２，４０，５６，７２，１０４，１２０，１２８，１４４，１５２，１７６，２０８，２１６，２２４，２３２，２５６，２６４，２９６，３２８，３３６，３４４，３９２，４１６，４２４，４４０，４８８，５１２，５２８，５３６，５６０，６３２］である。
【０２０１】
集合４は、［８，１６，２４，３２，４０，４８，５６，６４，７２，１０４，１２０，１２８，１４４，１５２，１７６，２０８，２１６，２２４，２３２，２５６，２６４，２９６，３２８，３３６，３４４，３９２，４１６，４２４，４４０，４８８，５１２，５２８，５３６，５６０，６３２］である。
【０２０２】
任意選択で、以下の集合５又は集合６に示すように、第１の値集合は、ＶｏＩＰパケットのサイズ及び／又はＭＡＣ−ＣＥパケットのサイズを含んでよく、特別なデータパケットのサイズの中で比較的大きい差を有する要素間に挿入された要素をいくつか含んでよい。
【０２０３】
集合５は、［８，１６，２４，３２，４０，５６，７２，８８，１０４，１２０，１３６，１４４，１５２，１７６，２０８，２２４，２５６，２８０，２８８，２９６，３２８，３３６，３４４，３７６，３９２，４０８，４２４，４４０，４５６，４７２，４８８，５０４，５２０，５３６］である。
【０２０４】
集合１と比較すると、集合５の要素８８、１３６、２８０、２８８、３３６、３７６、４０８、４２４、４５６、４７２、５０４、及び５２０が、挿入された要素である。本願の本実施形態では、特別なデータパケットのサイズ（ＶｏＩＰパケットのサイズ、ＭＡＣ−ＣＥパケットのサイズ、及びＥＶＳコーデックパケットのサイズなど）の中で比較的大きい差を有する要素間にいくつかの要素が挿入され、その結果、第１の値集合の要素間の差がより均一になる。第１のＴＢＳは、特別なデータパケットのサイズであってもよく、挿入された要素であってもよく、その結果、第１のＴＢＳの値がより正確且つより適切である。
【０２０５】
集合６は、［８，１６，２４，３２，４０，４８，５６，６４，７２，８８，１０４，１２０，１３６，１４４，１５２，１７６，２０８，２２４，２５６，２８０，２８８，２９６，３２８，３３６，３４４，３７６，３９２，４０８，４２４，４４０，４５６，４７２，４８８，５０４，５２０，５３６］である。
【０２０６】
集合２と比較すると、集合６の要素８８、１３６、２８０、２８８、３３６、３７６、４０８、４２４、４５６、４７２、５０４、及び５２０が、挿入された要素である。
【０２０７】
任意選択で、以下の集合７又は集合８に示すように、第１の値集合は、ＶｏＩＰパケットのサイズ、及び／又はＭＡＣ−ＣＥパケットのサイズ、及び／又はＥＶＳコーデックパケットのサイズを含んでよく、特別なデータパケットのサイズの中で比較的大きい差を有する要素間に挿入された要素をいくつか含んでよい。
【０２０８】
集合７は、［８，１６，２４，３２，４０，５６，７２，８８，１０４，１２０，１２８，１３６，１４４，１５２，１７６，２０８，２１６，２２４，２３２，２５６，２６４，２８０，２９６，３２８，３３６，３４４，３９２，４１６，４２４，４４０，４５６，４８８，５１２，５２８，５３６，５６０，  ６３２］である。
【０２０９】
集合８は、［８，１６，２４，３２，４０，４８，５６，６４，７２，８８，１０４，１２０，１２８，１４４，１５２，１７６，２０８，２１６，２２４，２３２，２５６，２６４，２８０，２９６，３２８，３３６，３４４，３９２，４１６，４２４，４４０，４８８，５１２，５２８，５３６，５６０，６３２］である。
【０２１０】
第１の基準閾値は、最大ＶｏＩＰパケットのサイズ又は最大ＭＡＣ−ＣＥパケットのサイズより大きい又はこれと等しい。任意選択で、第１の基準閾値の値が、５３６又は３２８などであってもよい。
【０２１１】
さらに、第１の基準閾値は、最大ＶｏＩＰパケットのサイズ、最大ＭＡＣ−ＣＥパケットのサイズ、又は最大ＥＶＳコーデックパケットのサイズより大きい又はこれと等しい。任意選択で、第１の基準閾値の値が、５３６、３２８、又は６３２などであってもよい。
【０２１２】
本願の本実施形態では、第２のＴＢＳを第１の基準閾値と比較することにより第１のＴＢＳを決定する方式によれば、小さいデータパケット（又は小型パケットと呼ばれる）の伝送、特に特別なデータパケットの伝送がより効率的であり、大きいデータパケットが伝送される場合にＴＢＳを決定する方式は、より柔軟であり、より適切であり、より高い拡張性を有する。特別なデータパケットは、ＶｏＩＰパケット、ＭＡＣ−ＣＥパケット、及びＥＶＳコーデックパケットなどを含んでよい。これは、本明細書において限定されるものではない。
【０２１３】
［方式３］
【０２１４】
第２のＴＢＳと第１の値集合内の第２の要素との差の絶対値が、第２の基準閾値より小さい又はこれと等しい場合、第１のＴＢＳは、第１の値集合内の第２の要素である。
【０２１５】
任意選択で、第２のＴＢＳを決定した後に、ネットワークデバイスは、第２のＴＢＳと第１の値集合に含まれる要素との差を計算し、第２のＴＢＳと第１の値集合内の要素との差の絶対値を求めてよい。第２のＴＢＳと第１の値集合内の（第２の要素に設定される）要素との差の絶対値が第２の基準閾値より小さい又はこれと等しい場合、当該要素は第１のＴＢＳとして決定されてよい。
【０２１６】
任意選択で、第２の基準閾値の値が予め定義された値であってよい。予め定義された値は、８，１６，又は３２であってもよい。予め定義された値は、プロトコルで合意されても、ネットワークデバイスにより設定されてもよい。
【０２１７】
任意選択で、第２の基準閾値の値が、第２の要素と予め定義された係数との積値、例えば、第２の要素のＭ倍であってよく、Ｍは小数であってよい。予め定義された係数は、プロトコルで合意されても、ネットワークデバイスにより設定されてもよい。
【０２１８】
任意選択で、予め定義された係数は０．０１でも０．１でもよい。あるいは、予め定義された係数は異なる第２の要素に対して異なる値に設定されてよく、具体的には、実際の応用シナリオに基づいて決定されてよい。例えば、より小さい第２の要素の場合、予め定義された係数は比較的小さい値、例えば０．０１であってよい。より大きい第２の要素の場合、予め定義された係数は比較的大きい値、例えば、０．０５であってよい。
【０２１９】
［方式４］
【０２２０】
第２のＴＢＳと第１の値集合内の第２の要素との差の絶対値が第２の基準閾値より大きい場合、第２のＴＢＳは、第１のＴＢＳとして決定される。
【０２２１】
任意選択で、第２のＴＢＳを決定した後に、ネットワークデバイスは、第２のＴＢＳと第１の値集合に含まれる要素との差を計算し、第２のＴＢＳと第１の値集合内の要素との差の絶対値を求めてよい。第２のＴＢＳと第１の値集合内の（第２の要素に設定される）要素との差の絶対値が第２の基準閾値より大きい又はこれと等しい場合、第２のＴＢＳは第１のＴＢＳとして決定されてよい。
【０２２２】
ネットワークデバイスは、第１のＴＢＳを異なる方式で決定してよい。第２のＴＢＳと第１の値集合内の第２の要素との差の絶対値が第２の基準閾値より大きい場合、第２のＴＢＳは第１のＴＢＳとして決定されてよく、その結果、大きいデータパケットが伝送される場合にＴＢＳを決定する方式はより柔軟であり、より適切であり、より高い拡張性を有する。第２のＴＢＳと第１の値集合内の第２の要素との差の絶対値が第２の基準閾値より小さい又はこれと等しい場合、第１の値集合内の要素（第２の要素）が第１のＴＢＳとして決定されてよく、当該要素と第２のＴＢＳとの差の絶対値が第２の基準閾値より小さい又はこれと等しいので、小さいデータパケット（又は小型パケットと呼ばれる）の伝送、特に特別なデータパケットの伝送はより効率的である。
【０２２３】
任意選択で、段階Ｓ２８で行われるオペレーションが段階Ｓ２２の前に行われてもよい。言い換えれば、特定の実装において、変調方式及び符号レートを決定した後に、ネットワークデバイスはさらに、時間周波数リソースの数とデータチャネルによりサポートされるトランスポート層の数とを決定し、決定された変調方式、符号レート、時間周波数リソースの数、及びトランスポート層の数に基づいて第１のＴＢＳを決定してよい。第１のＴＢＳの決定及び制御情報の送出の順序は、限定されるものではなく、具体的には、実際の応用シナリオに基づいて決定されてよい。
【０２２４】
Ｓ３０：ネットワークデバイスは、第１のＴＢＳに基づいて、データチャネルを時間周波数リソースで送信する。
【０２２５】
特定の実装において、ダウンリンクデータ伝送の場合、ネットワークデバイスは、決定された第１のＴＢＳに基づいてデータチャネルを時間周波数リソースで送信してよい。時間周波数リソースは、データチャネルにより実際に占有される時間周波数リソースであってよい。
【０２２６】
Ｓ３２：端末デバイスは、決定された第１のＴＢＳに基づいて、時間周波数リソースで搬送されるデータチャネルを復号する。
【０２２７】
特定の実装において、ダウンリンクデータ受信の場合、端末デバイスは、決定された第１のＴＢＳに基づいて、時間周波数リソースで搬送されるデータチャネルを復号してよい。時間周波数リソースは、データチャネルにより実際に占有される時間周波数リソースであってよい。
【０２２８】
任意選択で、段階Ｓ３０及びＳ３２は、以下に挙げる段階Ｓ３０´及びＳ３２´と置き換えられてもよい。
【０２２９】
Ｓ３０´：端末デバイスは、決定された第１のＴＢＳに基づいて、データチャネルを時間周波数リソースで送信する。
【０２３０】
Ｓ３２´：ネットワークデバイスは、第１のＴＢＳに基づいて、時間周波数リソースで搬送されるデータチャネルを復号する。
【０２３１】
アップリンクデータ伝送の場合、ネットワークデバイスはＤＣＩを端末デバイスに送信し、端末デバイスは、決定された変調方式及び符号レートに基づいて、チャネル符号化及びデータ変調を行ってよい。端末デバイスは、決定された第１のＴＢＳに基づいて、データチャネルにより実際に占有される時間周波数リソースでデータチャネルを送信してよい。
【０２３２】
アップリンクデータ受信の場合、ネットワークデバイスは、決定された第１のＴＢＳに基づいて、データチャネルにより実際に占有される時間周波数リソースで搬送されるデータチャネルを復号してよい。
【０２３３】
データチャネル上のＴＢＳを決定するいくつかの実現可能な方式と比較することにより、ＴＢＳが次式に適合することが分かるであろう。
【数１１】
0006891979.tif 000014
ここで、ＮＰＲＢは、ネットワークデバイスにより端末デバイスに割り当てられる物理リソースブロック（ｐｈｙｓｉｃａｌ  ｒｅｓｏｕｒｃｅ  ｂｌｏｃｋ、ＰＲＢ）の数を示し、ＮＰＲＢは、端末デバイスが受信するＤＣＩで示される。
【数１２】
0006891979.tif 000015
は、各ＰＲＢにおいてデータチャネル向けに利用可能な時間周波数リソースの数、具体的には、固定オーバーヘッドの時間周波数リソースが各ＰＲＢにおいて減算された後に求められる残りの時間周波数リソースを示す。各ＰＲＢは、上位層のシグナリングを用いてネットワークデバイスにより半静的に設定される同じ
【数１３】
0006891979.tif 000016
を有し、ｖはデータチャネルによりサポートされるトランスポート層の数を示し、Ｑｍは変調次数を示し、Ｒはデータチャネルの目標符号レート（符号レート）を示す。ＬＴＥシステムでは、
【数１４】
0006891979.tif 000017
は固定値（１２０）である。前述の実装例では、
【数１５】
0006891979.tif 000018
はネットワークデバイスにより半静的に設定されてよく、特定の値の
【数１６】
0006891979.tif 000019
が異なる応用シナリオ用に設定されてよい。
【０２３４】
しかしながら、５Ｇ通信システムでは、各ＰＲＢが異なる
【数１７】
0006891979.tif 000020
を有する。前述の実装例では、
【数１８】
0006891979.tif 000021
の設定方式が十分な柔軟性を有していないため、特定の応用シナリオに動的に適合できず、その結果、端末デバイスの異なるサービスのパフォーマンス指標の要件を満たすことができない。したがって、システムのスペクトル効率が低下する。前述の実装例では、端末デバイスによりサポートされる全てのサービスが、ＭＣＳ及び符号レートについての同じマッピングテーブルを用いる。言い換えれば、全てのサービスが符号レートについての同じテーブルを区別なく用いる。実際には、異なるサービスは、パフォーマンス指標の異なる要件を有する。例えば、遅延及び信頼性に対するＵＲＬＬＣの要件によって、ＵＲＬＬＣの主な実用領域は低符号レート領域である。したがって、低符号レート領域は、より適切な粒度を有する必要がある。前述の実装例では、全てのサービスにより用いられるＭＣＳがＭＣＳ及び符号レートについての１つのマッピングテーブルに配置され、その結果として、ＤＣＩのビットの数が増加することがあり、適用性が低い。
【０２３５】
本願の本実施形態において、端末デバイスは、ネットワークデバイスにより送出される制御情報に基づいて、第１のマッピング関係群から変調方式及び符号レートを決定してよく、さらに、制御情報に基づいて時間周波数リソースの数を決定してよい。時間周波数リソースは、データチャネルを送信又は受信するための時間周波数リソースであり、具体的には、データチャネルが実際に占有する時間周波数リソースである。さらに、端末デバイスは、データチャネル上のＴＢＳを決定してよい。このように、データチャネルが実際に占有する時間周波数リソースに基づいて決定されたＴＢＳは、データチャネルの目標符号レートにさらに一致するので、ＴＢＳの精度が向上する。目標符号レートとは、本明細書では、データチャネルが達することをネットワークデバイスが期待する符号レートであり、前述の符号レートは、データチャネルが実際に用いる符号レートである。ネットワークデバイスも、同じ時間周波数リソースの数に基づいてＴＢＳを決定するので、ネットワークデバイスにより決定されるＴＢＳも前述の効果を有する。
【０２３６】
さらに、ＴＢＳは、変調方式、符号レート、及び時間周波数リソースの数に基づいて決定されるので、スケジューリングされるリソースの数に関係なく、またスケジューリングされるリソースの他のオーバーヘッドリソースの数に関係なく、比較的正確なＴＢＳが同じ方式で決定され得る。したがって、ＴＢＳを決定する方式は、様々なスケジューリングシナリオに適用可能であり、ＴＢＳを決定する方式は非常に柔軟であり、高い拡張性を有する。
【０２３７】
さらに、決定されたＴＢＳはより正確であるため、端末デバイスに割り当てられる時間周波数リソースの数が極端に少ないことはなく、その結果、データチャネルを送信するとき、又はデータチャネルを受信するときに、再伝送の可能性を減少させることができ、また端末デバイスに割り当てられる時間周波数リソースの数が極端に多くもないので、リソースの無駄が回避される。
【０２３８】
本願の本実施形態では、変調方式及び符号レートについての異なるマッピング関係テーブルが、端末デバイスの異なるサービスタイプのサービスについてのパフォーマンス指標の要件に対して設定されてよい。これは、５Ｇ通信システムにおける様々な柔軟なリソース割り当てシナリオに動的に適合することができ、オペレーションはより柔軟であり、適用性がより高い。さらに、本願の本実施形態において提供される実装例では、変調方式及び符号レートが、変調方式及び符号レートについての設定されたマッピング関係テーブルに基づいて直接的に決定されてよく、さらに、ＴＢＳテーブルを定めることなく、またＭＣＳマッピングテーブル及びＴＢＳテーブルなどの複数のテーブルを検索するオペレーションを行うことなく、予め定義されたＴＢＳ決定式を用いてＴＢＳが決定されてよく、その結果、ＴＢＳを決定する実装の複雑さが効果的に減少し、システムのデータ伝送効率及びスペクトル効率が向上し適用性がより高くなる。
【０２３９】
図３を参照すると、図３は、本願の一実施形態による端末デバイスの概略構造図である。図３に示す端末デバイスは、送受信機ユニット３１と処理ユニット３２とを含んでよい。各ユニットは以下で詳細に説明される。
【０２４０】
送受信機ユニット３１は、ネットワークデバイスにより送信される制御情報を受信するように構成される。制御情報は、指示情報及びデータチャネルのリソース情報を含む。
【０２４１】
処理ユニット３２は、第１のマッピング関係群と送受信機ユニット３１により受信される指示情報とに基づいて、変調方式及び符号レートを決定し、データチャネルの、送受信機ユニット３１により受信されるリソース情報に基づいて、時間周波数リソースの数を決定するように構成される。第１のマッピング関係群は、指示情報と変調方式及び符号レートの組み合わせとの対応関係を含む。
【０２４２】
処理ユニット３２はさらに、変調方式、符号レート、及び時間周波数リソースの数に基づいて、第１のトランスポートブロックサイズＴＢＳを決定するように構成される。
【０２４３】
送受信機ユニット３１はさらに、処理ユニット３２により決定される第１のＴＢＳに基づいて、時間周波数リソースで搬送されるデータチャネルを復号する、又は処理ユニット３２により決定される第１のＴＢＳに基づいて、データチャネルを時間周波数リソースで送信するように構成される。
【０２４４】
任意選択で、時間周波数リソースのサイズは、物理リソースブロックのサイズより小さい。
【０２４５】
任意選択で、処理ユニット３２は、変調方式、符号レート、時間周波数リソースの数、及びトランスポート層の数に基づいて第１のＴＢＳを決定するように構成される。
【０２４６】
第１のＴＢＳは次式に適合する。
【数１９】
0006891979.tif 000022
ここで、Ｎは時間周波数リソースの数であり、ｖはデータチャネルによりサポートされるトランスポート層の数であり、Ｑは変調方式に対応する変調次数であり、Ｒは符号レートである。
【０２４７】
任意選択で、処理ユニット３２は、変調方式、符号レート、時間周波数リソースの数、及びトランスポート層の数に基づいて第２のＴＢＳを決定し、第２のＴＢＳに基づいて第１のＴＢＳを決定するように構成される。
【０２４８】
第１のＴＢＳは、第２のＴＢＳが第１の基準閾値より大きい場合に、第１のＴＢＳが第２のＴＢＳと等しいという条件に適合する。
【０２４９】
任意選択で、処理ユニット３２は、変調方式、符号レート、時間周波数リソースの数、及びトランスポート層の数に基づいて第２のＴＢＳを決定し、第２のＴＢＳに基づいて第１のＴＢＳを決定するように構成される。
【０２５０】
第１のＴＢＳは、第２のＴＢＳが第１の基準閾値より小さい又はこれと等しい場合に、第１のＴＢＳが第１の値集合内の第１の要素であるという条件に適合する。
【０２５１】
任意選択で、処理ユニット３２は、変調方式、符号レート、時間周波数リソースの数、及びトランスポート層の数に基づいて第２のＴＢＳを決定し、第２のＴＢＳに基づいて第１のＴＢＳを決定するように構成される。
【０２５２】
第１のＴＢＳは、第２のＴＢＳと第１の値集合内の第２の要素との差の絶対値が第２の基準閾値より小さい又はこれと等しい場合に、第１のＴＢＳが第１の値集合内の第２の要素であるという条件に適合する。
【０２５３】
任意選択で、処理ユニット３２は、変調方式、符号レート、時間周波数リソースの数、及びトランスポート層の数に基づいて第２のＴＢＳを決定し、第２のＴＢＳに基づいて第１のＴＢＳを決定するように構成される。
【０２５４】
第１のＴＢＳは、第２のＴＢＳと第１の値集合内の第２の要素との差の絶対値が第２の基準閾値より大きい場合に、第１のＴＢＳが第２のＴＢＳと等しいという条件に適合する。
【０２５５】
任意選択で、処理ユニット３２は、変調方式、符号レート、時間周波数リソースの数、及びトランスポート層の数に基づいて第２のＴＢＳを決定するように構成される。
【０２５６】
第２のＴＢＳは次式に適合する。
【数２０】
0006891979.tif 000023
ここで、Ｎは時間周波数リソースの数であり、ｖはデータチャネルによりサポートされるトランスポート層の数であり、Ｑは変調方式に対応する変調次数であり、Ｒは符号レートである。
【０２５７】
任意選択で、第１の基準閾値は、最大ＶｏＩＰパケットのサイズ又は最大ＭＡＣ−ＣＥパケットのサイズより大きい又はこれと等しい。
【０２５８】
任意選択で、第１の要素は、第１の値集合内にあり且つ第２のＴＢＳより小さい又はこれと等しい要素であり、当該要素と第２のＴＢＳとの差の絶対値が最小である。
【０２５９】
あるいは、第１の要素は、第１の値集合内にあり且つ第２のＴＢＳより大きい又はこれと等しい要素であり、当該要素と第２のＴＢＳとの差の絶対値が最小である。
【０２６０】
あるいは、第１の要素は第１の値集合内の要素であり、当該要素と第２のＴＢＳとの差の絶対値が最小である。
【０２６１】
任意選択で、第１の値集合は、ＶｏＩＰパケットのサイズ及び／又はＭＡＣ−ＣＥパケットのサイズのうちの少なくとも一方を含む。
【０２６２】
任意選択で、第１の値集合は、以下の値、すなわち、８、１６、２４、３２、４０、５６、７２、８８、１０４、１２０、１３６、１４４、１５２、１７６、２０８、２２４、２５６、２８０、２８８、２９６、３２８、３３６、３４４、３７６、３９２、４０８、４２４、４４０、４５６、４７２、４８８、５０４、５２０、及び５３６のうちの少なくとも１つを含む。
【０２６３】
任意選択で、第２の基準閾値は予め定義された値である、又は第２の基準閾値は第２の要素と予め定義された係数との積値である。
【０２６４】
任意選択で、処理ユニット３２は、送受信機ユニット３１により受信されるリソース情報と、指定された時間周波数リソースとに基づいて、時間周波数リソースの数を決定するように構成される。時間周波数リソースは、指定された時間周波数リソースがリソース情報により示される時間周波数リソースから減算された後に求められる残りの時間周波数リソースを含む。
【０２６５】
指定された時間周波数リソースは、データチャネルに対応する復調参照信号ＤＭＲＳにより占有される時間周波数リソース、リソース情報により示される時間周波数リソースでネットワークデバイスにより送信されるチャネル状態情報参照信号ＣＳＩ−ＲＳにより占有される時間周波数リソース、及びネットワークデバイスにより予約される時間周波数リソースのうちの１つ又は複数を含む。
【０２６６】
任意選択で、第１のマッピング関係群は、複数のマッピング関係群のうちのデフォルトのマッピング関係群である。
【０２６７】
あるいは、送受信機ユニット３１はさらに、ネットワークデバイスにより送信される設定情報を受信するように構成される。設定情報は第１のマッピング関係群を示し、第１のマッピング関係群は複数のマッピング関係群のうちの１つである。
【０２６８】
任意選択で、制御情報はさらに、マッピング関係群の指示情報を含み、マッピング関係群の指示情報は第１のマッピング関係群を示し、第１のマッピング関係群は複数のマッピング関係群のうちの１つである。
【０２６９】
任意選択で、制御情報のフォーマットが第１のマッピング関係群を示し、第１のマッピング関係群は複数のマッピング関係群のうちの１つである。
【０２７０】
あるいは、制御情報により示されるデータチャネルで搬送される情報のタイプが、第１のマッピング関係群を示し、第１のマッピング関係群は複数のマッピング関係群のうちの１つである。
【０２７１】
任意選択で、処理ユニット３２はさらに、制御情報に含まれるプリコーディング指示情報に基づいて、データチャネルによりサポートされるトランスポート層の数を決定するように構成される。
【０２７２】
任意選択で、処理ユニット３２はさらに、データチャネルに対応する伝送モードに基づいて、データチャネルによりサポートされるトランスポート層の数を決定するように構成される。
【０２７３】
特定の実装において、端末デバイスは、端末デバイス内のユニットを用いて、図２の実施形態における端末デバイスにより実行される実装例を実行してよい。特定の実装例については、図２に示す方法の実施形態の対応する説明を参照されたい。詳細は、ここで再度説明しない。
【０２７４】
図４を参照すると、図４は、本願の一実施形態によるネットワークデバイスの概略構造図である。図４に示すネットワークデバイスは、処理ユニット４１と送受信機ユニット４２とを含んでよい。各ユニットは以下で詳細に説明される。
【０２７５】
処理ユニット４１は、変調方式及び符号レートを決定し、第１のマッピング関係群と変調方式及び符号レートの組み合わせとに基づいて指示情報を決定するように構成される。第１のマッピング関係群は、指示情報と変調方式及び符号レートの組み合わせとの対応関係を含む。
【０２７６】
送受信機ユニット４２は、制御情報を端末デバイスに送信するように構成される。制御情報は、処理ユニット４１により決定される指示情報と、データチャネルのリソース情報とを含み、リソース情報は、時間周波数リソースの数を決定するのに用いられる。
【０２７７】
処理ユニット４１はさらに、変調方式、符号レート、及び時間周波数リソースの数に基づいて、第１のトランスポートブロックサイズＴＢＳを決定するように構成される。
【０２７８】
送受信機ユニット４２はさらに、第１のＴＢＳに基づいて、時間周波数リソースで搬送されるデータチャネルを復号する、又は第１のＴＢＳに基づいて、データチャネルを時間周波数リソースで送信するように構成される。
【０２７９】
任意選択で、時間周波数リソースのサイズは、物理リソースブロックのサイズより小さい。
【０２８０】
任意選択で、処理ユニット４１は、変調方式、符号レート、時間周波数リソースの数、及びトランスポート層の数に基づいて第１のＴＢＳを決定するように構成される。
【０２８１】
第１のＴＢＳは次式に適合する。
【数２１】
0006891979.tif 000024
ここで、Ｎは時間周波数リソースの数であり、ｖはデータチャネルによりサポートされるトランスポート層の数であり、Ｑは変調方式に対応する変調次数であり、Ｒは符号レートである。
【０２８２】
任意選択で、処理ユニット４１は、変調方式、符号レート、時間周波数リソースの数、及びトランスポート層の数に基づいて第２のＴＢＳを決定し、第２のＴＢＳに基づいて第１のＴＢＳを決定するように構成される。
【０２８３】
第１のＴＢＳは、第２のＴＢＳが第１の基準閾値より大きい場合に、第１のＴＢＳが第２のＴＢＳと等しいという条件に適合する。
【０２８４】
任意選択で、処理ユニット４１は、変調方式、符号レート、時間周波数リソースの数、及びトランスポート層の数に基づいて第２のＴＢＳを決定し、第２のＴＢＳに基づいて第１のＴＢＳを決定するように構成される。
【０２８５】
第１のＴＢＳは、第２のＴＢＳが第１の基準閾値より小さい又はこれと等しい場合に、第１のＴＢＳが第１の値集合内の第１の要素であるという条件に適合する。
【０２８６】
任意選択で、処理ユニット４１は、変調方式、符号レート、時間周波数リソースの数、及びトランスポート層の数に基づいて第２のＴＢＳを決定し、第２のＴＢＳに基づいて第１のＴＢＳを決定するように構成される。
【０２８７】
第１のＴＢＳは、第２のＴＢＳと第１の値集合内の第２の要素との差の絶対値が第２の基準閾値より小さい又はこれと等しい場合に、第１のＴＢＳが第１の値集合内の第２の要素であるという条件に適合する。
【０２８８】
任意選択で、処理ユニット４１は、変調方式、符号レート、時間周波数リソースの数、及びトランスポート層の数に基づいて第２のＴＢＳを決定し、第２のＴＢＳに基づいて第１のＴＢＳを決定するように構成される。
【０２８９】
第１のＴＢＳは、第２のＴＢＳと第１の値集合内の第２の要素との差の絶対値が第２の基準閾値より大きい場合に、第１のＴＢＳが第２のＴＢＳと等しいという条件に適合する。
【０２９０】
任意選択で、処理ユニット４１は、変調方式、符号レート、時間周波数リソースの数、及びトランスポート層の数に基づいて第２のＴＢＳを決定するように構成される。
【０２９１】
第２のＴＢＳは次式に適合する。
【数２２】
0006891979.tif 000025
ここで、Ｎは時間周波数リソースの数であり、ｖはデータチャネルによりサポートされるトランスポート層の数であり、Ｑは変調方式に対応する変調次数であり、Ｒは符号レートである。
【０２９２】
任意選択で、第１の基準閾値は、最大ＶｏＩＰパケットのサイズ又は最大ＭＡＣ−ＣＥパケットのサイズより大きい又はこれと等しい。
【０２９３】
任意選択で、第１の要素は、第１の値集合内にあり且つ第２のＴＢＳより小さい又はこれと等しい要素であり、当該要素と第２のＴＢＳとの差の絶対値が最小である。
【０２９４】
あるいは、第１の要素は、第１の値集合内にあり且つ第２のＴＢＳより大きい又はこれと等しい要素であり、当該要素と第２のＴＢＳとの差の絶対値が最小である。
【０２９５】
あるいは、第１の要素は第１の値集合内の要素であり、当該要素と第２のＴＢＳとの差の絶対値が最小である。
【０２９６】
任意選択で、第１の値集合は、ＶｏＩＰパケットのサイズ及び／又はＭＡＣ−ＣＥパケットのサイズのうちの少なくとも一方を含む。
【０２９７】
任意選択で、第１の値集合は、以下の値、すなわち、８、１６、２４、３２、４０、５６、７２、８８、１０４、１２０、１３６、１４４、１５２、１７６、２０８、２２４、２５６、２８０、２８８、２９６、３２８、３３６、３４４、３７６、３９２、４０８、４２４、４４０、４５６、４７２、４８８、５０４、５２０、及び５３６のうちの少なくとも１つを含む。
【０２９８】
任意選択で、第２の基準閾値は予め定義された値である、又は第２の基準閾値は第２の要素と予め定義された係数との積値である。
【０２９９】
任意選択で、リソース情報は、ネットワークデバイスにより端末デバイスに割り当てられる時間周波数リソースを示す。
【０３００】
時間周波数リソースの数は、指定された時間周波数リソースがリソース情報により示される時間周波数リソースから減算された後に求められる残りの時間周波数リソースの数である。
【０３０１】
指定された時間周波数リソースは、データチャネルに対応する復調参照信号ＤＭＲＳにより占有される時間周波数リソース、ネットワークデバイスにより送信されるチャネル状態情報参照信号ＣＳＩ−ＲＳにより占有される時間周波数リソース、及びネットワークデバイスにより予約される時間周波数リソースのうちの１つ又は複数を含む。
【０３０２】
任意選択で、第１のマッピング関係群は、複数のマッピング関係群のうちのデフォルトのマッピング関係群である。
【０３０３】
あるいは、送受信機ユニット４２はさらに、設定情報を端末デバイスに送信するように構成され、設定情報は第１のマッピング関係群を示し、第１のマッピング関係群は複数のマッピング関係群のうちの１つである。
【０３０４】
任意選択で、制御情報はさらに、マッピング関係群の指示情報を含み、マッピング関係群の指示情報は第１のマッピング関係群を示し、第１のマッピング関係群は複数のマッピング関係群のうちの１つである。
【０３０５】
任意選択で、制御情報のフォーマットが第１のマッピング関係群を示し、第１のマッピング関係群は複数のマッピング関係群のうちの１つである。
【０３０６】
あるいは、制御情報により示されるデータチャネルで搬送される情報のタイプが第１のマッピング関係群を示し、第１のマッピング関係群は複数のマッピング関係群のうちの１つである。
【０３０７】
任意選択で、制御情報はプリコーディング指示情報を含み、プリコーディング指示情報は、データチャネルによりサポートされるトランスポート層の数を示す。
【０３０８】
任意選択で、処理ユニット４１はさらに、データチャネルに対応する伝送モードに基づいて、データチャネルによりサポートされるトランスポート層の数を決定するように構成される。
【０３０９】
特定の実装において、ネットワークデバイスは、ネットワークデバイス内のユニットを用いて、図２の実施形態におけるネットワークデバイスにより実行される実装例を実行してよい。特定の実装例については、図２に示す方法の実施形態の対応する説明を参照されたい。詳細は、ここで再度説明しない。
【０３１０】
図５を参照すると、図５は、本願の一実施形態による通信デバイス５０の概略構造図である。図５に示すように、本願の本実施形態において提供される通信デバイス５０は、プロセッサ５０１と、メモリ５０２と、送受信機５０３と、バスシステム５０４とを含む。
【０３１１】
プロセッサ５０１、メモリ５０２、及び送受信機５０３は、バスシステム５０４を用いて接続される。
【０３１２】
メモリ５０２は、プログラムを格納するように構成される。具体的には、プログラムはプログラムコードを含んでよく、プログラムコードはコンピュータ演算命令を含む。メモリ５０２には、限定されるものではないが、ランダムアクセスメモリ（ｒａｎｄｏｍ  ａｃｃｅｓｓ  ｍｅｍｏｒｙ、ＲＡＭ）、リードオンリメモリ（ｒｅａｄ−ｏｎｌｙ  ｍｅｍｏｒｙ、ＲＯＭ）、消去可能プログラム可能型リードオンリメモリ（ｅｒａｓａｂｌｅ  ｐｒｏｇｒａｍｍａｂｌｅ  ｒｅａｄ  ｏｎｌｙ  ｍｅｍｏｒｙ、ＥＰＲＯＭ）、又はコンパクトディスクリードオンリメモリ（ｃｏｍｐａｃｔ  ｄｉｓｃ  ｒｅａｄ−ｏｎｌｙ  ｍｅｍｏｒｙ、ＣＤ−ＲＯＭ）が含まれる。図５には１つのメモリのみが示されている。もちろん、複数のメモリが必要に応じて構成されてもよい。メモリ５０２は、プロセッサ５０１内のメモリであってよい。これは、本明細書において限定されるものではない。
【０３１３】
メモリ５０２は、以下に挙げる要素を格納する。すなわち、実行可能なモジュール若しくはデータ構造体、又はこれらのサブセット、又はこれらの拡張セットと、様々な演算命令を含み、様々な演算を実装するのに用いられる演算命令と、様々なシステムプログラムを含み、様々な基本サービスを実装してハードウェアベースのタスクを処理するのに用いられるオペレーティングシステムとである。
【０３１４】
プロセッサ５０１は、通信デバイス５０のオペレーションを制御する。プロセッサ５０１は、１つ又は複数の中央演算処理装置（ｃｅｎｔｒａｌ  ｐｒｏｃｅｓｓｉｎｇ  ｕｎｉｔ、ＣＰＵ）であってよい。プロセッサ５０１が１つのＣＰＵである場合、当該ＣＰＵは、シングルコアＣＰＵであってもよく、マルチコアＣＰＵであってもよい。
【０３１５】
特定の応用において、通信デバイス５０の構成要素がバスシステム５０４を用いて共に連結される。データバスに加えて、バスシステム５０４はさらに、電力バス、制御バス、及びステータス信号バスなどを含んでよい。しかしながら、明確に説明できるように、図５における様々なタイプのバスがバスシステム５０４と表記されている。説明しやすいように、図５は、ただバスシステム５０４の一例を示しているにすぎない。
【０３１６】
本願の実施形態において提供された図３、又は前述の実施形態において開示された端末デバイスの方法、又は本願の実施形態において提供された図４、又は前述の実施形態において開示されたネットワークデバイスの方法は、プロセッサ５０１に適用されても、プロセッサ５０１により実装されてもよい。プロセッサ５０１は集積回路チップであってよく、また信号処理能力を有している。実装工程において、前述の方法の段階が、プロセッサ５０１内のハードウェアの集積論理回路を用いて、又はソフトウェアの形態の命令を用いて実装されてよい。プロセッサ５０１は、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）若しくは別のプログラム可能型論理デバイス、ディスクリートゲート若しくはトランジスタ論理デバイス、又はディスクリートハードウェアコンポーネントであってよい。プロセッサは、本願の実施形態において開示されている方法、段階、及び論理ブロック図を実装又は実行してよい。汎用プロセッサはマイクロプロセッサであってよく、又はプロセッサは任意の従来型のプロセッサなどであってよい。本願の実施形態を参照して開示された方法の段階が、ハードウェアの復号プロセッサを用いて直接的に実行され、また実装されてもよく、又はハードウェアと復号プロセッサ内のソフトウェアモジュールとの組み合わせを用いて実行され、また実装されてもよい。ソフトウェアモジュールが、当技術分野の成熟した記憶媒体、例えば、ランダムアクセスメモリ、フラッシュメモリ、リードオンリメモリ、プログラム可能型リードオンリメモリ、電気的消去可能プログラム可能型メモリ、又はレジスタなどに位置してよい。記憶媒体はメモリ５０２に位置している。プロセッサ５０１は、メモリ５０２内の情報を読み出し、プロセッサ５０１のハードウェアと組み合わせて、図３で説明された端末デバイスの方法の段階若しくは前述の実施形態を実行する、又はプロセッサ５０１のハードウェアと組み合わせて、図４で説明されたネットワークデバイスの方法の段階若しくは前述の実施形態を実行する。
【０３１７】
当業者であれば、これらの実施形態における方法の工程の全て又は一部が、関連するハードウェアに命令するコンピュータプログラムにより実装されてよいことを理解するであろう。プログラムは、コンピュータ可読記憶媒体に格納されてよい。プログラムが起動すると、方法の実施形態の工程が実行される。前述の記憶媒体には、ＲＯＭ、ランダムアクセスメモリＲＡＭ、磁気ディスク、又は光ディスクなどの、プログラムコードを格納できる任意の媒体が含まれる。
（項目１−１）
トランスポートブロックサイズを決定する方法であって、
ネットワークデバイスにより送信される制御情報を端末デバイスが受信する段階であって、上記制御情報は指示情報及びデータチャネルのリソース情報を含む、段階と、
第１のマッピング関係群及び上記指示情報に基づいて、上記端末デバイスが変調方式及び符号レートを決定し、上記データチャネルの上記リソース情報に基づいて時間周波数リソースの数を決定する段階であって、上記第１のマッピング関係群は上記指示情報と上記変調方式及び上記符号レートの組み合わせとの対応関係を含む、段階と、
上記変調方式、上記符号レート、及び上記時間周波数リソースの数に基づいて、上記端末デバイスが第１のトランスポートブロックサイズＴＢＳを決定する段階と、
上記時間周波数リソースで搬送される上記データチャネルを、上記端末デバイスが上記第１のＴＢＳに基づいて復号する、又は上記第１のＴＢＳに基づいて、上記端末デバイスが上記データチャネルを上記時間周波数リソースで送信する段階と、
を備える方法。
（項目１−２）
上記時間周波数リソースのサイズが物理リソースブロックのサイズより小さい、項目１−１に記載の方法。
（項目１−３）
上記変調方式、上記符号レート、及び上記時間周波数リソースの数に基づいて、上記端末デバイスが第１のＴＢＳを決定する上記段階は、
上記変調方式、上記符号レート、上記時間周波数リソースの数、及びトランスポート層の数に基づいて、上記端末デバイスが上記第１のＴＢＳを決定する段階であって、上記第１のＴＢＳは次式に適合し、
【数２３】
0006891979.tif 000026
ここで、Ｎは上記時間周波数リソースの数であり、ｖは上記データチャネルによりサポートされる上記トランスポート層の数であり、Ｑは上記変調方式に対応する変調次数であり、Ｒは上記符号レートである、段階を有する、項目１−１又は１−２に記載の方法。
（項目１−４）
上記変調方式、上記符号レート、及び上記時間周波数リソースの数に基づいて、上記端末デバイスが第１のＴＢＳを決定する上記段階は、
上記変調方式、上記符号レート、上記時間周波数リソースの数、及びトランスポート層の数に基づいて、上記端末デバイスが第２のＴＢＳを決定する段階と、
上記第２のＴＢＳに基づいて、上記端末デバイスが上記第１のＴＢＳを決定する段階であって、上記第１のＴＢＳは、上記第２のＴＢＳが第１の基準閾値より大きい場合に、上記第１のＴＢＳが上記第２のＴＢＳと等しいという条件に適合する、段階と、
を有する、項目１−１又は１−２に記載の方法。
（項目１−５）
上記変調方式、上記符号レート、及び上記時間周波数リソースの数に基づいて、上記端末デバイスが第１のＴＢＳを決定する上記段階は、
上記変調方式、上記符号レート、上記時間周波数リソースの数、及びトランスポート層の数に基づいて、上記端末デバイスが第２のＴＢＳを決定する段階と、
上記第２のＴＢＳに基づいて、上記端末デバイスが上記第１のＴＢＳを決定する段階であって、上記第１のＴＢＳは、上記第２のＴＢＳが第１の基準閾値より小さい又はこれと等しい場合に、上記第１のＴＢＳが第１の値集合内の第１の要素であるという条件に適合する、段階と、
を有する、項目１−１又は１−２に記載の方法。
（項目１−６）
上記変調方式、上記符号レート、及び上記時間周波数リソースの数に基づいて、上記端末デバイスが第１のＴＢＳを決定する上記段階は、
上記変調方式、上記符号レート、上記時間周波数リソースの数、及びトランスポート層の数に基づいて、上記端末デバイスが第２のＴＢＳを決定する段階と、
上記第２のＴＢＳに基づいて、上記端末デバイスが上記第１のＴＢＳを決定する段階であって、上記第１のＴＢＳは、上記第２のＴＢＳと第１の値集合内の第２の要素との差の絶対値が第２の基準閾値より小さい又はこれと等しい場合に、上記第１のＴＢＳが上記第１の値集合内の上記第２の要素であるという条件に適合する、段階と、
を有する、項目１−１又は１−２に記載の方法。
（項目１−７）
上記変調方式、上記符号レート、及び上記時間周波数リソースの数に基づいて、上記端末デバイスが第１のＴＢＳを決定する上記段階は、
上記変調方式、上記符号レート、上記時間周波数リソースの数、及びトランスポート層の数に基づいて、上記端末デバイスが第２のＴＢＳを決定する段階と、
上記第２のＴＢＳに基づいて、上記端末デバイスが上記第１のＴＢＳを決定する段階であって、上記第１のＴＢＳは、上記第２のＴＢＳと第１の値集合内の第２の要素との差の絶対値が第２の基準閾値より大きい場合に、上記第１のＴＢＳが上記第２のＴＢＳと等しいという条件に適合する、段階と、
を有する、項目１−１又は１−２に記載の方法。
（項目１−８）
上記端末デバイスは、上記変調方式、上記符号レート、上記時間周波数リソースの数、及び上記トランスポート層の数に基づいて上記第２のＴＢＳを決定し、
上記第２のＴＢＳは次式に適合し、
【数２４】
0006891979.tif 000027
ここで、Ｎは上記時間周波数リソースの数であり、ｖは上記データチャネルによりサポートされる上記トランスポート層の数であり、Ｑは上記変調方式に対応する変調次数であり、Ｒは上記符号レートである、項目１−４から１−７のいずれか一項に記載の方法。
（項目１−９）
上記第１の基準閾値は、最大ボイスオーバーインターネットプロトコルＶｏＩＰパケットのサイズ、又は最大媒体アクセス制御ＭＡＣ制御要素ＣＥパケットのサイズより大きい又はこれと等しい、項目１−４、１−５、又は１−８に記載の方法。
（項目１−１０）
上記第１の要素は、上記第１の値集合内にあって、上記第２のＴＢＳより小さい又はこれと等しい要素であり、上記要素と上記第２のＴＢＳとの差の絶対値が最小である、又は、
上記第１の要素は、上記第１の値集合内にあって、上記第２のＴＢＳより大きい又はこれと等しい要素であり、上記要素と上記第２のＴＢＳとの差の絶対値が最小である、又は、
上記第１の要素は上記第１の値集合内にある要素であり、上記要素と上記第２のＴＢＳとの差の絶対値が最小である、項目１−５に記載の方法。
（項目１−１１）
上記第１の値集合は、少なくともＶｏＩＰパケットのサイズ及び／又はＭＡＣ−ＣＥパケットのサイズを含む、項目１−５から１−１０のいずれか一項に記載の方法。
（項目１−１２）
上記第１の値集合は、８、１６、２４、３２、４０、５６、７２、８８、１０４、１２０、１３６、１４４、１５２、１７６、２０８、２２４、２５６、２８０、２８８、２９６、３２８、３３６、３４４、３７６、３９２、４０８、４２４、４４０、４５６、４７２、４８８、５０４、５２０、及び５３６の値のうちの少なくとも１つを含む、項目１−５から１−１０のいずれか一項に記載の方法。
（項目１−１３）
上記第２の基準閾値は予め定義された値である、又は上記第２の基準閾値は上記第２の要素と予め定義された係数との積値である、項目１−６又は１−７に記載の方法。
（項目１−１４）
上記データチャネルの上記リソース情報に基づいて時間周波数リソースの数を決定する上記段階は、
上記リソース情報及び指定された時間周波数リソースに基づいて、上記端末デバイスが上記時間周波数リソースの数を決定する段階であって、上記時間周波数リソースは、上記リソース情報により示される時間周波数リソースから、上記指定された時間周波数リソースが減算された後に求められる、残りの時間周波数リソースを含む、段階を有し、
上記指定された時間周波数リソースは、上記データチャネルに対応する復調参照信号ＤＭＲＳにより占有される時間周波数リソースと、上記リソース情報により示される上記時間周波数リソースで上記ネットワークデバイスにより送信されるチャネル状態情報参照信号ＣＳＩ−ＲＳにより占有される時間周波数リソースと、上記ネットワークデバイスにより予約される時間周波数リソースとのうちの１つ又は複数を含む、項目１−１から１−１３のいずれか一項に記載の方法。
（項目１−１５）
上記第１のマッピング関係群は、複数のマッピング関係群のうちのデフォルトのマッピング関係群である、又は、
ネットワークデバイスにより送信される制御情報を端末デバイスが受信する上記段階の前に、上記方法はさらに、上記ネットワークデバイスにより送信される設定情報を上記端末デバイスが受信する段階であって、上記設定情報は上記第１のマッピング関係群を示し、上記第１のマッピング関係群は複数のマッピング関係群のうちの１つである、段階を備える、項目１−１から１−１４のいずれか一項に記載の方法。
（項目１−１６）
上記制御情報はさらに、マッピング関係群指示情報を含み、上記マッピング関係群指示情報は上記第１のマッピング関係群を示し、上記第１のマッピング関係群は複数のマッピング関係群のうちの１つである、項目１−１から１−１４のいずれか一項に記載の方法。
（項目１−１７）
上記制御情報のフォーマットが上記第１のマッピング関係群を示し、上記第１のマッピング関係群は複数のマッピング関係群のうちの１つである、又は、
上記制御情報により示される上記データチャネルで搬送される情報のタイプが上記第１のマッピング関係群を示し、上記第１のマッピング関係群は複数のマッピング関係群のうちの１つである、項目１−１から１−１４のいずれか一項に記載の方法。
（項目１−１８）
上記変調方式、上記符号レート、及び上記時間周波数リソースの数に基づいて、上記端末デバイスが第１のトランスポートブロックサイズＴＢＳを決定する上記段階の前に、上記方法はさらに、
上記制御情報に含まれるプリコーディング指示情報に基づいて、上記データチャネルによりサポートされる上記トランスポート層の数を上記端末デバイスが決定する段階を備える、項目１−１から１−１７のいずれか一項に記載の方法。
（項目１−１９）
上記変調方式、上記符号レート、及び上記時間周波数リソースの数に基づいて、上記端末デバイスが第１のトランスポートブロックサイズＴＢＳを決定する上記段階の前に、上記方法はさらに、
上記データチャネルに対応する伝送モードに基づいて、上記データチャネルによりサポートされる上記トランスポート層の数を上記端末デバイスが決定する段階を備える、項目１−１から１−１７のいずれか一項に記載の方法。
（項目１−２０）
トランスポートブロックサイズを決定する方法であって、
ネットワークデバイスが変調方式及び符号レートを決定し、第１のマッピング関係群と上記変調方式及び上記符号レートの組み合わせとに基づいて指示情報を決定する段階であって、上記第１のマッピング関係群は、上記指示情報と上記変調方式及び上記符号レートの上記組み合わせとの対応関係を含む、段階と、
上記ネットワークデバイスが制御情報を端末デバイスに送信する段階であって、上記制御情報は、上記指示情報とデータチャネルのリソース情報とを含み、上記リソース情報は時間周波数リソースの数を決定するのに用いられる、段階と、
上記変調方式、上記符号レート、及び上記時間周波数リソースの数に基づいて、上記ネットワークデバイスが第１のトランスポートブロックサイズＴＢＳを決定する段階と、
上記第１のＴＢＳに基づいて、上記ネットワークデバイスが上記時間周波数リソースで搬送される上記データチャネルを復号する、又は、上記第１のＴＢＳに基づいて、上記ネットワークデバイスが上記時間周波数リソースで上記データチャネルを送信する段階と、
を備える方法。
（項目１−２１）
上記時間周波数リソースのサイズが物理リソースブロックのサイズより小さい、項目１−２０に記載の方法。
（項目１−２２）
上記変調方式、上記符号レート、及び上記時間周波数リソースの数に基づいて、上記ネットワークデバイスが第１のＴＢＳを決定する上記段階は、
上記変調方式、上記符号レート、上記時間周波数リソースの数、及びトランスポート層の数に基づいて、上記ネットワークデバイスが上記第１のＴＢＳを決定する段階であって、上記第１のＴＢＳは次式に適合し、
【数２５】
0006891979.tif 000028
ここで、Ｎは上記時間周波数リソースの数であり、ｖは上記データチャネルによりサポートされる上記トランスポート層の数であり、Ｑは上記変調方式に対応する変調次数であり、Ｒは上記符号レートである、段階を有する、項目１−２０又は１−２１に記載の方法。
（項目１−２３）
上記変調方式、上記符号レート、及び上記時間周波数リソースの数に基づいて、上記ネットワークデバイスが第１のＴＢＳを決定する上記段階は、
上記変調方式、上記符号レート、上記時間周波数リソースの数、及びトランスポート層の数に基づいて、上記ネットワークデバイスが第２のＴＢＳを決定する段階と、
上記第２のＴＢＳに基づいて、上記ネットワークデバイスが上記第１のＴＢＳを決定する段階であって、上記第１のＴＢＳは、上記第２のＴＢＳが第１の基準閾値より大きい場合に、上記第１のＴＢＳが上記第２のＴＢＳと等しいという条件に適合する、段階と、
を有する、項目１−２０又は１−２１に記載の方法。
（項目１−２４）
上記変調方式、上記符号レート、及び上記時間周波数リソースの数に基づいて、上記ネットワークデバイスが第１のＴＢＳを決定する上記段階は、
上記変調方式、上記符号レート、上記時間周波数リソースの数、及びトランスポート層の数に基づいて、上記ネットワークデバイスが第２のＴＢＳを決定する段階と、
上記第２のＴＢＳに基づいて、上記ネットワークデバイスが上記第１のＴＢＳを決定する段階であって、上記第１のＴＢＳは、上記第２のＴＢＳが第１の基準閾値より小さい又はこれと等しい場合に、上記第１のＴＢＳが第１の値集合内の第１の要素であるという条件に適合する、段階と、
を有する、項目１−２０又は１−２１に記載の方法。
（項目１−２５）
上記変調方式、上記符号レート、及び上記時間周波数リソースの数に基づいて、上記ネットワークデバイスが第１のＴＢＳを決定する上記段階は、
上記変調方式、上記符号レート、上記時間周波数リソースの数、及びトランスポート層の数に基づいて、上記ネットワークデバイスが第２のＴＢＳを決定する段階と、
上記第２のＴＢＳに基づいて、上記ネットワークデバイスが上記第１のＴＢＳを決定する段階であって、上記第１のＴＢＳは、上記第２のＴＢＳと第１の値集合内の第２の要素との差の絶対値が第２の基準閾値より小さい又はこれと等しい場合に、上記第１のＴＢＳが上記第１の値集合内の上記第２の要素であるという条件に適合する、段階と、
を有する、項目１−２０又は１−２１に記載の方法。
（項目１−２６）
上記変調方式、上記符号レート、及び上記時間周波数リソースの数に基づいて、上記ネットワークデバイスが第１のＴＢＳを決定する上記段階は、
上記変調方式、上記符号レート、上記時間周波数リソースの数、及びトランスポート層の数に基づいて、上記ネットワークデバイスが第２のＴＢＳを決定する段階と、
上記第２のＴＢＳに基づいて、上記ネットワークデバイスが上記第１のＴＢＳを決定する段階であって、上記第１のＴＢＳは、上記第２のＴＢＳと第１の値集合内の第２の要素との差の絶対値が第２の基準閾値より大きい場合に、上記第１のＴＢＳが上記第２のＴＢＳと等しいという条件に適合する、段階と、
を有する、項目１−２０又は１−２１に記載の方法。
（項目１−２７）
上記ネットワークデバイスは、上記変調方式、上記符号レート、上記時間周波数リソースの数、及び上記トランスポート層の数に基づいて上記第２のＴＢＳを決定し、
上記第２のＴＢＳは次式に適合し、
【数２６】
0006891979.tif 000029
ここで、Ｎは上記時間周波数リソースの数であり、ｖは上記データチャネルによりサポートされる上記トランスポート層の数であり、Ｑは上記変調方式に対応する変調次数であり、Ｒは上記符号レートである、項目１−２３から１−２６のいずれか一項に記載の方法。
（項目１−２８）
上記第１の基準閾値は、最大ボイスオーバーインターネットプロトコルＶｏＩＰパケットのサイズ、又は最大媒体アクセス制御ＭＡＣ制御要素ＣＥパケットのサイズより大きい又はこれと等しい、項目１−２３、１−２４、又は１−２７に記載の方法。
（項目１−２９）
上記第１の要素は、上記第１の値集合内にあって、上記第２のＴＢＳより小さい又はこれと等しい要素であり、上記要素と上記第２のＴＢＳとの差の絶対値が最小である、又は、
上記第１の要素は、上記第１の値集合内にあって、上記第２のＴＢＳより大きい又はこれと等しい要素であり、上記要素と上記第２のＴＢＳとの差の絶対値が最小である、又は、
上記第１の要素は上記第１の値集合内にある要素であり、上記要素と上記第２のＴＢＳとの差の絶対値が最小である、項目１−２４に記載の方法。
（項目１−３０）
上記第１の値集合は、少なくともＶｏＩＰパケットのサイズ及び／又はＭＡＣ−ＣＥパケットのサイズを含む、項目１−２４から１−２９のいずれか一項に記載の方法。
（項目１−３１）
上記第１の値集合は、８、１６、２４、３２、４０、５６、７２、８８、１０４、１２０、１３６、１４４、１５２、１７６、２０８、２２４、２５６、２８０、２８８、２９６、３２８、３３６、３４４、３７６、３９２、４０８、４２４、４４０、４５６、４７２、４８８、５０４、５２０、及び５３６の値のうちの少なくとも１つを含む、項目１−２４から１−２９のいずれか一項に記載の方法。
（項目１−３２）
上記第２の基準閾値は予め定義された値である、又は上記第２の基準閾値は上記第２の要素と予め定義された係数との積値である、項目１−２５又は１−２６に記載の方法。
（項目１−３３）
上記リソース情報は、上記ネットワークデバイスにより上記端末デバイスに割り当てられる時間周波数リソースを示し、
上記時間周波数リソースの数は、上記リソース情報により示される上記時間周波数リソースから、指定された時間周波数リソースが減算された後に求められる、残りの時間周波数リソースの数であり、
上記指定された時間周波数リソースは、上記データチャネルに対応する復調参照信号ＤＭＲＳにより占有される時間周波数リソースと、上記ネットワークデバイスにより送信されるチャネル状態情報参照信号ＣＳＩ−ＲＳにより占有される時間周波数リソースと、上記ネットワークデバイスにより予約される時間周波数リソースとのうちの１つ又は複数を含む、項目１−２０から１−３２のいずれか一項に記載の方法。
（項目１−３４）
上記第１のマッピング関係群は、複数のマッピング関係群のうちのデフォルトのマッピング関係群である、又は、
上記ネットワークデバイスが制御情報を端末デバイスに送信する上記段階の前に、上記方法はさらに、上記ネットワークデバイスが設定情報を上記端末デバイスに送信する段階であって、上記設定情報は上記第１のマッピング関係群を示し、上記第１のマッピング関係群は複数のマッピング関係群のうちの１つである、段階を備える、項目１−２０から１−３３のいずれか一項に記載の方法。
（項目１−３５）
上記制御情報はさらに、マッピング関係群指示情報を含み、上記マッピング関係群指示情報は上記第１のマッピング関係群を示し、上記第１のマッピング関係群は複数のマッピング関係群のうちの１つである、項目１−２０から１−３３のいずれか一項に記載の方法。
（項目１−３６）
上記制御情報のフォーマットが上記第１のマッピング関係群を示し、上記第１のマッピング関係群は複数のマッピング関係群のうちの１つである、又は、
上記制御情報により示される上記データチャネルで搬送される情報のタイプが上記第１のマッピング関係群を示し、上記第１のマッピング関係群は複数のマッピング関係群のうちの１つである、項目１−２０から１−３３のいずれか一項に記載の方法。
（項目１−３７）
上記制御情報はプリコーディング指示情報を含み、上記プリコーディング指示情報は、上記データチャネルによりサポートされる上記トランスポート層の数を示す、項目１−２０から１−３６のいずれか一項に記載の方法。
（項目１−３８）
上記変調方式、上記符号レート、及び上記時間周波数リソースの数に基づいて、上記ネットワークデバイスが第１のトランスポートブロックサイズＴＢＳを決定する上記段階の前に、上記方法はさらに、
上記データチャネルに対応する伝送モードに基づいて、上記データチャネルによりサポートされる上記トランスポート層の数を上記ネットワークデバイスが決定する段階を備える、項目１−２０から１−３６のいずれか一項に記載の方法。
（項目１−３９）
ネットワークデバイスにより送信される制御情報を受信するように構成された送受信機ユニットであって、上記制御情報は指示情報とデータチャネルのリソース情報とを含む、送受信機ユニットと、
第１のマッピング関係群と上記送受信機ユニットにより受信される上記指示情報とに基づいて、変調方式及び符号レートを決定し、上記データチャネルの、上記送受信機ユニットにより受信される上記リソース情報に基づいて、時間周波数リソースの数を決定するように構成された処理ユニットであって、上記第１のマッピング関係群は、上記指示情報と上記変調方式及び上記符号レートの組み合わせとの対応関係を含む、処理ユニットと、
を備える端末デバイスであって、
上記処理ユニットはさらに、上記変調方式、上記符号レート、及び上記時間周波数リソースの数に基づいて、第１のトランスポートブロックサイズＴＢＳを決定するように構成され、
上記送受信機ユニットはさらに、上記処理ユニットにより決定される上記第１のＴＢＳに基づいて、上記時間周波数リソースで搬送される上記データチャネルを復号する、又は上記処理ユニットにより決定される上記第１のＴＢＳに基づいて、上記データチャネルを上記時間周波数リソースで送信するように構成される、端末デバイス。
（項目１−４０）
上記時間周波数リソースのサイズが物理リソースブロックのサイズより小さい、項目１−３９に記載の端末デバイス。
（項目１−４１）
上記処理ユニットは、
上記変調方式、上記符号レート、上記時間周波数リソースの数、及びトランスポート層の数に基づいて上記第１のＴＢＳを決定するように構成され、上記第１のＴＢＳは次式に適合し、
【数２７】
0006891979.tif 000030
ここで、Ｎは上記時間周波数リソースの数であり、ｖは上記データチャネルによりサポートされる上記トランスポート層の数であり、Ｑは上記変調方式に対応する変調次数であり、Ｒは上記符号レートである、項目１−３９又は１−４０に記載の端末デバイス。
（項目１−４２）
上記処理ユニットは、
上記変調方式、上記符号レート、上記時間周波数リソースの数、及びトランスポート層の数に基づいて第２のＴＢＳを決定することと、
上記第２のＴＢＳに基づいて上記第１のＴＢＳを決定することであって、上記第１のＴＢＳは、上記第２のＴＢＳが第１の基準閾値より大きい場合に、上記第１のＴＢＳが上記第２のＴＢＳと等しいという条件に適合する、決定することと、
を行うように構成される、項目１−３９又は１−４０に記載の端末デバイス。
（項目１−４３）
上記処理ユニットは、
上記変調方式、上記符号レート、上記時間周波数リソースの数、及びトランスポート層の数に基づいて第２のＴＢＳを決定することと、
上記第２のＴＢＳに基づいて上記第１のＴＢＳを決定することであって、上記第１のＴＢＳは、上記第２のＴＢＳが第１の基準閾値より小さい又はこれと等しい場合に、上記第１のＴＢＳが第１の値集合内の第１の要素であるという条件に適合する、決定することと、
を行うように構成される、項目１−３９又は１−４０に記載の端末デバイス。
（項目１−４４）
上記処理ユニットは、
上記変調方式、上記符号レート、上記時間周波数リソースの数、及びトランスポート層の数に基づいて第２のＴＢＳを決定することと、
上記第２のＴＢＳに基づいて上記第１のＴＢＳを決定することであって、上記第１のＴＢＳは、上記第２のＴＢＳと第１の値集合内の第２の要素との差の絶対値が第２の基準閾値より小さい又はこれと等しい場合に、上記第１のＴＢＳが上記第１の値集合内の上記第２の要素であるという条件に適合する、決定することと、
を行うように構成される、項目１−３９又は１−４０に記載の端末デバイス。
（項目１−４５）
上記処理ユニットは、
上記変調方式、上記符号レート、上記時間周波数リソースの数、及びトランスポート層の数に基づいて第２のＴＢＳを決定することと、
上記第２のＴＢＳに基づいて上記第１のＴＢＳを決定することであって、上記第１のＴＢＳは、上記第２のＴＢＳと第１の値集合内の第２の要素との差の絶対値が第２の基準閾値より大きい場合に、上記第１のＴＢＳが上記第２のＴＢＳと等しいという条件に適合する、決定することと、
を行うように構成される、項目１−３９又は１−４０に記載の端末デバイス。
（項目１−４６）
上記処理ユニットは、
上記変調方式、上記符号レート、上記時間周波数リソースの数、及び上記トランスポート層の数に基づいて上記第２のＴＢＳを決定するように構成され、上記第２のＴＢＳは次式に適合し、
【数２８】
0006891979.tif 000031
ここで、Ｎは上記時間周波数リソースの数であり、ｖは上記データチャネルによりサポートされる上記トランスポート層の数であり、Ｑは上記変調方式に対応する変調次数であり、Ｒは上記符号レートである、項目１−４２から１−４５のいずれか一項に記載の端末デバイス。
（項目１−４７）
上記第１の基準閾値は、最大ボイスオーバーインターネットプロトコルＶｏＩＰパケットのサイズ、又は最大媒体アクセス制御ＭＡＣ制御要素ＣＥパケットのサイズより大きい又はこれと等しい、項目１−４２、１−４３、又は１−４６に記載の端末デバイス。
（項目１−４８）
上記第１の要素は、上記第１の値集合内にあって、上記第２のＴＢＳより小さい又はこれと等しい要素であり、上記要素と上記第２のＴＢＳとの差の絶対値が最小である、又は、
上記第１の要素は、上記第１の値集合内にあって、上記第２のＴＢＳより大きい又はこれと等しい要素であり、上記要素と上記第２のＴＢＳとの差の絶対値が最小である、又は、
上記第１の要素は上記第１の値集合内にある要素であり、上記要素と上記第２のＴＢＳとの差の絶対値が最小である、項目１−４３に記載の端末デバイス。
（項目１−４９）
上記第１の値集合は、少なくともＶｏＩＰパケットのサイズ及び／又はＭＡＣ−ＣＥパケットのサイズを含む、項目１−４３から１−４８のいずれか一項に記載の端末デバイス。
（項目１−５０）
上記第１の値集合は、８、１６、２４、３２、４０、５６、７２、８８、１０４、１２０、１３６、１４４、１５２、１７６、２０８、２２４、２５６、２８０、２８８、２９６、３２８、３３６、３４４、３７６、３９２、４０８、４２４、４４０、４５６、４７２、４８８、５０４、５２０、及び５３６の値のうちの少なくとも１つを含む、項目１−４３から１−４８のいずれか一項に記載の端末デバイス。
（項目１−５１）
上記第２の基準閾値は予め定義された値である、又は上記第２の基準閾値は上記第２の要素と予め定義された係数との積値である、項目１−４４又は１−４５に記載の端末デバイス。
（項目１−５２）
上記処理ユニットは、
上記送受信機ユニットにより受信される上記リソース情報と指定された時間周波数リソースとに基づいて、上記時間周波数リソースの数を決定するように構成され、上記時間周波数リソースは、上記リソース情報により示される時間周波数リソースから、上記指定された時間周波数リソースが減算された後に求められる、残りの時間周波数リソースを含み、
上記指定された時間周波数リソースは、上記データチャネルに対応する復調参照信号ＤＭＲＳにより占有される時間周波数リソースと、上記リソース情報により示される上記時間周波数リソースで上記ネットワークデバイスにより送信されるチャネル状態情報参照信号ＣＳＩ−ＲＳにより占有される時間周波数リソースと、上記ネットワークデバイスにより予約される時間周波数リソースとのうちの１つ又は複数を含む、項目１−３９から１−５１のいずれか一項に記載の端末デバイス。
（項目１−５３）
上記第１のマッピング関係群は、複数のマッピング関係群のうちのデフォルトのマッピング関係群である、又は、
上記送受信機ユニットはさらに、上記ネットワークデバイスにより送信される設定情報を受信するように構成され、上記設定情報は上記第１のマッピング関係群を示し、上記第１のマッピング関係群は複数のマッピング関係群のうちの１つである、項目１−３９から１−５２のいずれか一項に記載の端末デバイス。
（項目１−５４）
上記制御情報はさらに、マッピング関係群指示情報を含み、上記マッピング関係群指示情報は上記第１のマッピング関係群を示し、上記第１のマッピング関係群は複数のマッピング関係群のうちの１つである、項目１−３９から１−５２のいずれか一項に記載の端末デバイス。
（項目１−５５）
上記制御情報のフォーマットが上記第１のマッピング関係群を示し、上記第１のマッピング関係群は複数のマッピング関係群のうちの１つである、又は、
上記制御情報により示される上記データチャネルで搬送される情報のタイプが上記第１のマッピング関係群を示し、上記第１のマッピング関係群は複数のマッピング関係群のうちの１つである、項目１−３９から１−５２のいずれか一項に記載の端末デバイス。
（項目１−５６）
上記処理ユニットはさらに、上記制御情報に含まれるプリコーディング指示情報に基づいて、上記データチャネルによりサポートされる上記トランスポート層の数を決定するように構成される、項目１−３９から１−５５のいずれか一項に記載の端末デバイス。
（項目１−５７）
上記処理ユニットはさらに、上記データチャネルに対応する伝送モードに基づいて、上記データチャネルによりサポートされる上記トランスポート層の数を決定するように構成される、項目１−３９から１−５５のいずれか一項に記載の端末デバイス。
（項目１−５８）
変調方式及び符号レートを決定し、第１のマッピング関係群と上記変調方式及び上記符号レートの組み合わせとに基づいて指示情報を決定するように構成された処理ユニットであって、上記第１のマッピング関係群は、上記指示情報と上記変調方式及び上記符号レートの上記組み合わせとの対応関係を含む、処理ユニットと、
制御情報を端末デバイスに送信するように構成された送受信機ユニットであって、上記制御情報は、上記処理ユニットにより決定される上記指示情報と、データチャネルのリソース情報とを含み、上記リソース情報は時間周波数リソースの数を決定するのに用いられる、送受信機ユニットと、
を備えるネットワークデバイスであって、
上記処理ユニットはさらに、上記変調方式、上記符号レート、及び上記時間周波数リソースの数に基づいて、第１のトランスポートブロックサイズＴＢＳを決定するように構成され、
上記送受信機ユニットはさらに、上記第１のＴＢＳに基づいて、上記時間周波数リソースで搬送される上記データチャネルを復号する、又は上記第１のＴＢＳに基づいて、上記データチャネルを上記時間周波数リソースで送信するように構成される、ネットワークデバイス。
（項目１−５９）
上記時間周波数リソースのサイズが物理リソースブロックのサイズより小さい、項目１−５８に記載のネットワークデバイス。
（項目１−６０）
上記処理ユニットは、
上記変調方式、上記符号レート、上記時間周波数リソースの数、及びトランスポート層の数に基づいて上記第１のＴＢＳを決定するように構成され、上記第１のＴＢＳは次式に適合し、
【数２９】
0006891979.tif 000032
ここで、Ｎは上記時間周波数リソースの数であり、ｖは上記データチャネルによりサポートされる上記トランスポート層の数であり、Ｑは上記変調方式に対応する変調次数であり、Ｒは上記符号レートである、項目１−５８又は１−５９に記載のネットワークデバイス。
（項目１−６１）
上記処理ユニットは、
上記変調方式、上記符号レート、上記時間周波数リソースの数、及びトランスポート層の数に基づいて第２のＴＢＳを決定することと、
上記第２のＴＢＳに基づいて上記第１のＴＢＳを決定することであって、上記第１のＴＢＳは、上記第２のＴＢＳが第１の基準閾値より大きい場合に、上記第１のＴＢＳが上記第２のＴＢＳと等しいという条件に適合する、決定することと、
を行うように構成される、項目１−５８又は１−５９に記載のネットワークデバイス。
（項目１−６２）
上記処理ユニットは、
上記変調方式、上記符号レート、上記時間周波数リソースの数、及びトランスポート層の数に基づいて第２のＴＢＳを決定することと、
上記第２のＴＢＳに基づいて上記第１のＴＢＳを決定することであって、上記第１のＴＢＳは、上記第２のＴＢＳが第１の基準閾値より小さい又はこれと等しい場合に、上記第１のＴＢＳが第１の値集合内の第１の要素であるという条件に適合する、決定することと、
を行うように構成される、項目１−５８又は１−５９に記載のネットワークデバイス。
（項目１−６３）
上記処理ユニットは、
上記変調方式、上記符号レート、上記時間周波数リソースの数、及びトランスポート層の数に基づいて第２のＴＢＳを決定することと、
上記第２のＴＢＳに基づいて上記第１のＴＢＳを決定することであって、上記第１のＴＢＳは、上記第２のＴＢＳと第１の値集合内の第２の要素との差の絶対値が第２の基準閾値より小さい又はこれと等しい場合に、上記第１のＴＢＳが上記第１の値集合内の上記第２の要素であるという条件に適合する、決定することと、
を行うように構成される、項目１−５８又は１−５９に記載のネットワークデバイス。
（項目１−６４）
上記処理ユニットは、
上記変調方式、上記符号レート、上記時間周波数リソースの数、及びトランスポート層の数に基づいて第２のＴＢＳを決定することと、
上記第２のＴＢＳに基づいて上記第１のＴＢＳを決定することであって、上記第１のＴＢＳは、上記第２のＴＢＳと第１の値集合内の第２の要素との差の絶対値が第２の基準閾値より大きい場合に、上記第１のＴＢＳが上記第２のＴＢＳと等しいという条件に適合する、決定することと、
を行うように構成される、項目１−５８又は１−５９に記載のネットワークデバイス。
（項目１−６５）
上記処理ユニットは、
上記変調方式、上記符号レート、上記時間周波数リソースの数、及び上記トランスポート層の数に基づいて上記第２のＴＢＳを決定するように構成され、上記第２のＴＢＳは次式に適合し、
【数３０】
0006891979.tif 000033
ここで、Ｎは上記時間周波数リソースの数であり、ｖは上記データチャネルによりサポートされる上記トランスポート層の数であり、Ｑは上記変調方式に対応する変調次数であり、Ｒは上記符号レートである、項目１−６１から１−６４のいずれか一項に記載のネットワークデバイス。
（項目１−６６）
上記第１の基準閾値は、最大ボイスオーバーインターネットプロトコルＶｏＩＰパケットのサイズ、又は最大媒体アクセス制御ＭＡＣ制御要素ＣＥパケットのサイズより大きい又はこれと等しい、項目１−６１、１−６２、又は１−６５に記載のネットワークデバイス。
（項目１−６７）
上記第１の要素は、上記第１の値集合内にあって、上記第２のＴＢＳより小さい又はこれと等しい要素であり、上記要素と上記第２のＴＢＳとの差の絶対値が最小である、又は、
上記第１の要素は、上記第１の値集合内にあって、上記第２のＴＢＳより大きい又はこれと等しい要素であり、上記要素と上記第２のＴＢＳとの差の絶対値が最小である、又は、
上記第１の要素は上記第１の値集合内にある要素であり、上記要素と上記第２のＴＢＳとの差の絶対値が最小である、項目１−６２に記載のネットワークデバイス。
（項目１−６８）
上記第１の値集合は、少なくともＶｏＩＰパケットのサイズ及び／又はＭＡＣ−ＣＥパケットのサイズを含む、項目１−６２から１−６７のいずれか一項に記載のネットワークデバイス。
（項目１−６９）
上記第１の値集合は、８、１６、２４、３２、４０、５６、７２、８８、１０４、１２０、１３６、１４４、１５２、１７６、２０８、２２４、２５６、２８０、２８８、２９６、３２８、３３６、３４４、３７６、３９２、４０８、４２４、４４０、４５６、４７２、４８８、５０４、５２０、及び５３６の値のうちの少なくとも１つを含む、項目１−６２から１−６７のいずれか一項に記載のネットワークデバイス。
（項目１−７０）
上記第２の基準閾値は予め定義された値である、又は上記第２の基準閾値は上記第２の要素と予め定義された係数との積値である、項目１−６３又は１−６４に記載のネットワークデバイス。
（項目１−７１）
上記リソース情報は、上記ネットワークデバイスにより上記端末デバイスに割り当てられる時間周波数リソースを示し、
上記時間周波数リソースの数は、上記リソース情報により示される上記時間周波数リソースから、指定された時間周波数リソースが減算された後に求められる、残りの時間周波数リソースの数であり、
上記指定された時間周波数リソースは、上記データチャネルに対応する復調参照信号ＤＭＲＳにより占有される時間周波数リソースと、上記ネットワークデバイスにより送信されるチャネル状態情報参照信号ＣＳＩ−ＲＳにより占有される時間周波数リソースと、上記ネットワークデバイスにより予約される時間周波数リソースとのうちの１つ又は複数を含む、項目１−５８から１−７０のいずれか一項に記載のネットワークデバイス。
（項目１−７２）
上記第１のマッピング関係群は、複数のマッピング関係群のうちのデフォルトのマッピング関係群である、又は、
上記送受信機ユニットはさらに、設定情報を上記端末デバイスに送信するように構成され、上記設定情報は上記第１のマッピング関係群を示し、上記第１のマッピング関係群は複数のマッピング関係群のうちの１つである、項目１−５８から１−７１のいずれか一項に記載のネットワークデバイス。
（項目１−７３）
上記制御情報はさらに、マッピング関係群指示情報を含み、上記マッピング関係群指示情報は上記第１のマッピング関係群を示し、上記第１のマッピング関係群は複数のマッピング関係群のうちの１つである、項目１−５８から１−７１のいずれか一項に記載のネットワークデバイス。
（項目１−７４）
上記制御情報のフォーマットが上記第１のマッピング関係群を示し、上記第１のマッピング関係群は複数のマッピング関係群のうちの１つである、又は、
上記制御情報により示される上記データチャネルで搬送される情報のタイプが上記第１のマッピング関係群を示し、上記第１のマッピング関係群は複数のマッピング関係群のうちの１つである、項目１−５８から１−７１のいずれか一項に記載のネットワークデバイス。
（項目１−７５）
上記制御情報はプリコーディング指示情報を含み、上記プリコーディング指示情報は、上記データチャネルによりサポートされる上記トランスポート層の数を示す、項目１−５８から１−７４のいずれか一項に記載のネットワークデバイス。
（項目１−７６）
上記処理ユニットはさらに、上記データチャネルに対応する伝送モードに基づいて、上記データチャネルによりサポートされる上記トランスポート層の数を決定するように構成される、項目１−５８から１−７４のいずれか一項に記載のネットワークデバイス。
（項目１−７７）
コンピュータ可読記憶媒体であって、上記コンピュータ可読記憶媒体はコンピュータプログラムを格納し、上記コンピュータプログラムは、項目１−１から１−１９のいずれか一項に記載の方法を実行するのに用いることができる、コンピュータ可読記憶媒体。
（項目１−７８）
コンピュータ可読記憶媒体であって、上記コンピュータ可読記憶媒体はコンピュータプログラムを格納し、上記コンピュータプログラムは、項目１−２０から１−３８のいずれか一項に記載の方法を実行するのに用いることができる、コンピュータ可読記憶媒体。
（項目１−７９）
コンピュータプログラム製品であって、上記コンピュータプログラム製品はコンピュータプログラムコードを含み、上記コンピュータプログラムコードを起動すると、項目１−１から１−１９のいずれか一項に記載の方法を実行することができる、コンピュータプログラム製品。
（項目１−８０）
コンピュータプログラム製品であって、上記コンピュータプログラム製品はコンピュータプログラムコードを含み、上記コンピュータプログラムコードを起動すると、項目１−２０から１−３８のいずれか一項に記載の方法を実行することができる、コンピュータプログラム製品。
（項目２−１）
トランスポートブロックサイズを決定する方法であって、
ネットワークデバイスにより送信される制御情報を端末デバイスが受信する段階であって、上記制御情報は指示情報及びデータチャネルのリソース情報を含む、段階と、
マッピング関係群及び上記指示情報に基づいて、上記端末デバイスが変調方式及び符号レートを決定し、上記データチャネルの上記リソース情報に基づいて時間周波数リソースの数を決定する段階であって、上記マッピング関係群は上記指示情報と上記変調方式及び上記符号レートの組み合わせとの対応関係を含む、段階と、
上記変調方式、上記符号レート、及び上記時間周波数リソースの数に基づいて、上記端末デバイスが第１のトランスポートブロックサイズ（ＴＢＳ）を決定する段階と、
上記時間周波数リソースで搬送される上記データチャネルを、上記端末デバイスが上記第１のＴＢＳに基づいて復号する、又は上記第１のＴＢＳに基づいて、上記端末デバイスが上記データチャネルを上記時間周波数リソースで送信する段階と、
を備える方法。
（項目２−２）
上記変調方式、上記符号レート、及び上記時間周波数リソースの数に基づいて、上記端末デバイスが第１のＴＢＳを決定する上記段階は、
上記変調方式、上記符号レート、上記時間周波数リソースの数、及びトランスポート層の数に基づいて、上記端末デバイスが第２のＴＢＳを決定する段階と、
上記第２のＴＢＳに基づいて、上記端末デバイスが上記第１のＴＢＳを決定する段階であって、上記第１のＴＢＳは、上記第２のＴＢＳが第１の基準閾値より小さい又はこれと等しい場合に、上記第１のＴＢＳが値集合内の要素であるという条件に適合する、段階と、
を有する、項目２−１に記載の方法。
（項目２−３）
上記値集合は、２４、３２、４０、５６、７２、８８、１０４、１２０、１３６、１４４、１５２、１７６、２０８、２２４、２５６、２８８、３３６、４０８、４５６、及び５０４の値のうちの少なくとも１つを含む、項目２−２に記載の方法。
（項目２−４）
上記データチャネルの上記リソース情報に基づいて時間周波数リソースの数を決定する上記段階は、
上記端末デバイスが上記時間周波数リソースの数を、上記リソース情報により示される上記時間周波数リソースの数から、指定された時間周波数リソースの数を引いたものになるよう決定する段階を有し、
上記指定された時間周波数リソースは、上記データチャネルに対応する復調参照信号ＤＭＲＳにより占有される時間周波数リソースと、上記リソース情報により示される上記時間周波数リソースで上記ネットワークデバイスにより送信されるチャネル状態情報参照信号ＣＳＩ−ＲＳにより占有される時間周波数リソースと、上記ネットワークデバイスにより予約される時間周波数リソースとのうちの１つ又は複数を含む、項目２−１から２−３のいずれか一項に記載の方法。
（項目２−５）
上記マッピング関係群は、複数のマッピング関係群のうちのデフォルトのマッピング関係群である、又は、
ネットワークデバイスにより送信される制御情報を端末デバイスが受信する上記段階の前に、上記方法はさらに、上記ネットワークデバイスにより送信される設定情報を上記端末デバイスが受信する段階であって、上記設定情報は上記マッピング関係群を示し、上記マッピング関係群は複数のマッピング関係群のうちの１つである、段階を備える、項目２−１から２−４のいずれか一項に記載の方法。
（項目２−６）
上記変調方式、上記符号レート、及び上記時間周波数リソースの数に基づいて、上記端末デバイスが第１のトランスポートブロックサイズ（ＴＢＳ）を決定する上記段階の前に、上記方法はさらに、
上記制御情報に含まれるプリコーディング指示情報に基づいて、上記データチャネルによりサポートされるトランスポート層の数を上記端末デバイスが決定する段階を備える、項目２−１から２−５のいずれか一項に記載の方法。
（項目２−７）
上記指示情報は、変調符号化方式、ＭＣＳ  ｉｎｄｅｘを含み、上記マッピング関係群は、上記ＭＣＳ  ｉｎｄｅｘと変調次数と上記符号レートとの対応関係である、項目２−１に記載の方法。
（項目２−８）
トランスポートブロックサイズを決定する方法であって、
ネットワークデバイスが変調方式及び符号レートを決定し、マッピング関係群と上記変調方式及び上記符号レートの組み合わせとに基づいて指示情報を決定する段階であって、上記マッピング関係群は、上記指示情報と上記変調方式及び上記符号レートの上記組み合わせとの対応関係を含む、段階と、
上記ネットワークデバイスが制御情報を端末デバイスに送信する段階であって、上記制御情報は、上記指示情報とデータチャネルのリソース情報とを含み、上記リソース情報は時間周波数リソースの数を決定するのに用いられる、段階と、
上記変調方式、上記符号レート、及び上記時間周波数リソースの数に基づいて、上記ネットワークデバイスが第１のトランスポートブロックサイズ（ＴＢＳ）を決定する段階と、
上記第１のＴＢＳに基づいて、上記ネットワークデバイスが上記時間周波数リソースで搬送される上記データチャネルを復号する、又は、上記第１のＴＢＳに基づいて、上記ネットワークデバイスが上記時間周波数リソースで上記データチャネルを送信する段階と、
を備える方法。
（項目２−９）
上記変調方式、上記符号レート、及び上記時間周波数リソースの数に基づいて、上記ネットワークデバイスが第１のＴＢＳを決定する上記段階は、
上記変調方式、上記符号レート、上記時間周波数リソースの数、及びトランスポート層の数に基づいて、上記ネットワークデバイスが第２のＴＢＳを決定する段階と、
上記第２のＴＢＳに基づいて、上記ネットワークデバイスが上記第１のＴＢＳを決定する段階であって、上記第１のＴＢＳは、上記第２のＴＢＳが第１の基準閾値より小さい又はこれと等しい場合に、上記第１のＴＢＳが値集合内の要素であるという条件に適合する、段階と、
を有する、項目２−８に記載の方法。
（項目２−１０）
上記値集合は、２４、３２、４０、５６、７２、８８、１０４、１２０、１３６、１４４、１５２、１７６、２０８、２２４、２５６、２８８、３３６、４０８、４５６、及び５０４の値のうちの少なくとも１つを含む、項目２−９に記載の方法。
（項目２−１１）
上記リソース情報は、上記ネットワークデバイスにより上記端末デバイスに割り当てられる時間周波数リソースを示し、
上記時間周波数リソースの数は、上記リソース情報により示される時間周波数リソースの数から、指定された時間周波数リソースの数を引いたものであり、
上記指定された時間周波数リソースは、上記データチャネルに対応する復調参照信号ＤＭＲＳにより占有される時間周波数リソースと、上記ネットワークデバイスにより送信されるチャネル状態情報参照信号ＣＳＩ−ＲＳにより占有される時間周波数リソースと、上記ネットワークデバイスにより予約される時間周波数リソースとのうちの１つ又は複数を含む、項目２−８から２−１０のいずれか一項に記載の方法。
（項目２−１２）
上記マッピング関係群は、複数のマッピング関係群のうちのデフォルトのマッピング関係群である、又は、
上記ネットワークデバイスが制御情報を端末デバイスに送信する上記段階の前に、上記方法はさらに、上記ネットワークデバイスが設定情報を上記端末デバイスに送信する段階であって、上記設定情報は上記マッピング関係群を示し、上記マッピング関係群は複数のマッピング関係群のうちの１つである、段階を備える、項目２−８から２−１１のいずれか一項に記載の方法。
（項目２−１３）
上記制御情報はプリコーディング指示情報を含み、上記プリコーディング指示情報は、上記データチャネルによりサポートされるトランスポート層の数を示す、項目２−８から２−１２のいずれか一項に記載の方法。
（項目２−１４）
上記指示情報は、変調符号化方式、ＭＣＳ  ｉｎｄｅｘを含み、上記マッピング関係群は、上記ＭＣＳ  ｉｎｄｅｘと変調次数と上記符号レートとの対応関係である、項目２−８から２−１３のいずれか一項に記載の方法。
（項目２−１５）
ネットワークデバイスにより送信される制御情報を受信するように構成された送受信機ユニットであって、上記制御情報は指示情報とデータチャネルのリソース情報とを含む、送受信機ユニットと、
マッピング関係群と上記送受信機ユニットにより受信される上記指示情報とに基づいて、変調方式及び符号レートを決定し、上記データチャネルの、上記送受信機ユニットにより受信される上記リソース情報に基づいて、時間周波数リソースの数を決定するように構成された処理ユニットであって、上記マッピング関係群は、上記指示情報と上記変調方式及び上記符号レートの組み合わせとの対応関係を含む、処理ユニットと、
を備える端末デバイスであって、
上記処理ユニットはさらに、上記変調方式、上記符号レート、及び上記時間周波数リソースの数に基づいて、第１のトランスポートブロックサイズ（ＴＢＳ）を決定するように構成され、
上記送受信機ユニットはさらに、上記処理ユニットにより決定される上記第１のＴＢＳに基づいて、上記時間周波数リソースで搬送される上記データチャネルを復号する、又は上記処理ユニットにより決定される上記第１のＴＢＳに基づいて、上記データチャネルを上記時間周波数リソースで送信するように構成される、端末デバイス。
（項目２−１６）
上記処理ユニットは、
上記変調方式、上記符号レート、上記時間周波数リソースの数、及びトランスポート層の数に基づいて第２のＴＢＳを決定し、
上記第２のＴＢＳに基づいて上記第１のＴＢＳを決定する、
ように構成され、
上記第１のＴＢＳは、上記第２のＴＢＳが第１の基準閾値より小さい又はこれと等しい場合に、上記第１のＴＢＳが値集合内の要素であるという条件に適合する、項目２−１５に記載の端末デバイス。
（項目２−１７）
上記値集合は、２４、３２、４０、５６、７２、８８、１０４、１２０、１３６、１４４、１５２、１７６、２０８、２２４、２５６、２８８、３３６、４０８、４５６、及び５０４の値のうちの少なくとも１つを含む、項目２−１６に記載の端末デバイス。
（項目２−１８）
上記処理ユニットは、
上記時間周波数リソースの数を、上記リソース情報により示される上記時間周波数リソースの数から、指定された時間周波数リソースの数を引いたものになるよう決定するように構成され、
上記指定された時間周波数リソースは、上記データチャネルに対応する復調参照信号ＤＭＲＳにより占有される時間周波数リソースと、上記リソース情報により示される上記時間周波数リソースで上記ネットワークデバイスにより送信されるチャネル状態情報参照信号ＣＳＩ−ＲＳにより占有される時間周波数リソースと、上記ネットワークデバイスにより予約される時間周波数リソースとのうちの１つ又は複数を含む、項目２−１５から２−１７のいずれか一項に記載の端末デバイス。
（項目２−１９）
上記マッピング関係群は、複数のマッピング関係群のうちのデフォルトのマッピング関係群である、又は、
上記送受信機ユニットはさらに、上記ネットワークデバイスにより送信される設定情報を受信するように構成され、上記設定情報は上記マッピング関係群を示し、上記マッピング関係群は複数のマッピング関係群のうちの１つである、項目２−１５から２−１８のいずれか一項に記載の端末デバイス。
（項目２−２０）
上記処理ユニットはさらに、上記データチャネルに対応する伝送モードに基づいて、上記データチャネルによりサポートされるトランスポート層の数を決定するように構成される、項目２−１５から２−１９のいずれか一項に記載の端末デバイス。
（項目２−２１）
上記指示情報は、変調符号化方式、ＭＣＳ  ｉｎｄｅｘを含み、上記マッピング関係群は、上記ＭＣＳ  ｉｎｄｅｘと変調次数と上記符号レートとの対応関係である、項目２−１５から２−２０のいずれか一項に記載の端末デバイス。
（項目２−２２）
変調方式及び符号レートを決定し、マッピング関係群と上記変調方式及び上記符号レートの組み合わせとに基づいて指示情報を決定するように構成された処理ユニットであって、上記マッピング関係群は、上記指示情報と上記変調方式及び上記符号レートの上記組み合わせとの対応関係を含む、処理ユニットと、
制御情報を端末デバイスに送信するように構成された送受信機ユニットであって、上記制御情報は、上記処理ユニットにより決定される上記指示情報と、データチャネルのリソース情報とを含み、上記リソース情報は時間周波数リソースの数を決定するのに用いられる、送受信機ユニットと、
を備えるネットワークデバイスであって、
上記処理ユニットはさらに、上記変調方式、上記符号レート、及び上記時間周波数リソースの数に基づいて、第１のトランスポートブロックサイズ（ＴＢＳ）を決定するように構成され、
上記送受信機ユニットはさらに、上記第１のＴＢＳに基づいて、上記時間周波数リソースで搬送される上記データチャネルを復号する、又は上記第１のＴＢＳに基づいて、上記データチャネルを上記時間周波数リソースで送信するように構成される、ネットワークデバイス。
（項目２−２３）
上記処理ユニットは、
上記変調方式、上記符号レート、上記時間周波数リソースの数、及びトランスポート層の数に基づいて第２のＴＢＳを決定し、
上記第２のＴＢＳに基づいて上記第１のＴＢＳを決定する、
ように構成され、
上記第１のＴＢＳは、上記第２のＴＢＳが第１の基準閾値より小さい又はこれと等しい場合に、上記第１のＴＢＳが値集合内の要素であるという条件に適合する、項目２−２２に記載のネットワークデバイス。
（項目２−２４）
上記値集合は、２４、３２、４０、５６、７２、８８、１０４、１２０、１３６、１４４、１５２、１７６、２０８、２２４、２５６、２８８、３３６、４０８、４５６、及び５０４の値のうちの少なくとも１つを含む、項目２−２３に記載のネットワークデバイス。
（項目２−２５）
上記リソース情報は、上記ネットワークデバイスにより上記端末デバイスに割り当てられる時間周波数リソースを示し、
上記時間周波数リソースの数は、上記リソース情報により示される時間周波数リソースの数から、指定された時間周波数リソースの数を引いたものであり、
上記指定された時間周波数リソースは、上記データチャネルに対応する復調参照信号ＤＭＲＳにより占有される時間周波数リソースと、上記ネットワークデバイスにより送信されるチャネル状態情報参照信号ＣＳＩ−ＲＳにより占有される時間周波数リソースと、上記ネットワークデバイスにより予約される時間周波数リソースとのうちの１つ又は複数を含む、項目２−２２から２−２４のいずれか一項に記載のネットワークデバイス。
（項目２−２６）
上記マッピング関係群は、複数のマッピング関係群のうちのデフォルトのマッピング関係群である、又は、
上記送受信機ユニットはさらに、設定情報を上記端末デバイスに送信するように構成され、上記設定情報は上記マッピング関係群を示し、上記マッピング関係群は複数のマッピング関係群のうちの１つである、項目２−２２から２−２５のいずれか一項に記載のネットワークデバイス。
（項目２−２７）
上記制御情報はプリコーディング指示情報を含み、上記プリコーディング指示情報は、上記データチャネルによりサポートされるトランスポート層の数を示す、項目２−２２から２−２５のいずれか一項に記載のネットワークデバイス。
（項目２−２８）
上記指示情報は、変調符号化方式、ＭＣＳ  ｉｎｄｅｘを含み、上記マッピング関係群は、上記ＭＣＳ  ｉｎｄｅｘと変調次数と上記符号レートとの対応関係である、項目２−２２から２−２６のいずれか一項に記載のネットワークデバイス。
（項目２−２９）
項目２−１から２−７又は２−８から２−１４のいずれか一項に記載の方法をコンピュータに実行させるためのプログラム。
【図１】
0006891979.tif 000034
【図２】
0006891979.tif 000035
【図３】
0006891979.tif 000036
【図４】
0006891979.tif 000037
【図５】
0006891979.tif 000038